(57)【要約】【課題】コーヒーや砂糖などの粉状・顆粒状の内容物が入った容器に装着し一定量づつ振出せる定量中栓及び定量中栓付容器を提供する。【解決手段】容器の口部内に嵌着する定量中栓であって、振出し口２を有する天板部１と第２仕切板３と整流板６を備え、前記振出し口２の下方に底板４を設置するとともに、前記底板４には略上向きとなる第１仕切板５を備え、前記定量中栓を容器の口部内側面に嵌着保持させた時に、容器内側面と天板部１と第１仕切板５と第２仕切板３と整流板６の間に少なくとも、２つ以上の定量室８が設置される定量中栓及び定量中栓付容器である。【選択図】図１
2009262982.tif 000002
【特許請求の範囲】
【請求項１】
容器の口部内に嵌着する合成樹脂材でできた定量中栓であって、前記定量中栓には内容物を外へ流出するための振出し口を有する天板部と、前記振出し口付近から下端へ延出した第２仕切板と、前記第２仕切板と垂直方向に連結し前記天板部から垂直に下端へ延出した整流板を備え、前記振出し口の下方には整流板と垂直方向に連結した底板を設置するとともに、前記底板には中心位置に向かって整流板と連結した略上向きとなる第１仕切板を備え、前記定量中栓を容器の口部内側面に嵌着保持させた時に、容器内側面と天板部と第１仕切板と第２仕切板と整流板の間に少なくとも、２つ以上の定量室が設置されることを特徴する定量中栓。
【請求項２】
整流板の嵌合面と天板部の嵌合面と底板部の嵌合面と第１仕切板の嵌合面と第２仕切板の嵌合面が容器口部付近の内側面と密着し嵌着保持させたことを特徴とする請求項１に記載の定量中栓。
【請求項３】
振出し口と反対位置の天板部から整流板と垂直で交差し下端へ延出した嵌着片の嵌合面と天板部の嵌合面と底板部の嵌合面と第１仕切板の嵌合面と第２仕切板の嵌合面が容器口部付近の内側面と密着し嵌着保持させたことを特徴とする請求項１に記載の定量中栓。
【請求項４】
第１仕切板の上端側の位置が、天板部の中心位置より振出し口側に形成されたことを特徴とする請求項１乃至請求項３に記載の定量中栓。
【請求項５】
第２仕切板の下端側から中心位置に向かって略下向きとなる傾斜板を設けたことを特徴とする請求項１乃至請求項４に記載の定量中栓。
【請求項６】
第１仕切板の上端側から中心位置に向かって略上向きとなる第２傾斜板を設けたことを特徴とする請求項１乃至請求項５に記載の定量中栓。
【請求項７】
第２仕切板と連結し前記天板部から垂直に下端へ延出した整流板を複数設置したことを特徴とする請求項１乃至請求項６に記載の定量中栓。
【請求項８】
整流板と容器の仕切板が接合し２つ以上の貯蔵室が容器内に設置されることを特徴とする請求項１乃至請求項７に記載の定量中栓付容器。
【発明の詳細な説明】
【技術分野】
【０００１】
本発明は、コーヒーや砂糖などの粉状・顆粒状の内容物が入った容器に装着し一定量づつ振出せる定量中栓及び定量中栓付容器に関するものである。
【背景技術】
【０００２】
粉状のガーリックや胡しょう等の調味料や洗顔用粉石鹸等の粉状物を収納して定量で取り出すことが出来る定量吐出容器として、下部内周面から上部一側方に向かって傾斜する第一傾斜隔壁と、第一傾斜隔壁と反対位置で直交するように第二隔壁を設け、第二隔壁の上端部分に吐出口を設けた粉状物定量吐出容器が特許文献１に記載されている。
【０００３】
塩、こしょう等の粉末の振出容器に装着される可変式の計量栓として、筒部内を第１ガイド板後方側に形成された下面開口の流入室と、第２ガイド板前方側に形成された貯留室と、流入室と貯留室とそれぞれ連通する計量室を有し、計量室の容量を増大、減少させることが可能な粉末計量栓が特許文献２に記載されている。
【０００４】
内容物を一定量ずつ振出しできるようにした蓋装置として、流入口、中間溜まり部、計量室及び振出し口を備えた計量体が特許文献３に記載されている。
【０００５】
【特許文献１】実開昭６２−１４６７５４号公報
【特許文献２】実開昭６３−４６３５７号公報
【特許文献３】特開平９−２７８０５５号公報
【発明の開示】
【発明が解決しようとする課題】
【０００６】
特許文献１、２及び特許文献３のいずれも粉状物や顆粒物を一定量ずつ取り出すことができる定量栓であるが、内容物である粉状物が細かくなると容器を傾けて逆さまにし再び元の位置に戻していく過程で、一度流れ出した粉状物が止まらずに流れ出てしてしまう時があり、その状態で無理やり容器を元の位置に戻してしまうと、振出し口から粉状物が外へ飛び散ってしまい、机や床にまでこぼれてしまう場合が発生していた。また、流れ出しが激しいため内容物の振出す分量には毎回誤差が発生してしまう状態であった。
【０００７】
更に、特許文献２及び特許文献３では、前記定量栓は容器の開口部内に装着するものであるが、開口部の内壁面と前記定量栓の側壁面とで嵌着するように形成しているため、注ぎ出す過程を繰り返す中で、前記内壁面と前記側壁面の間の隙間へ内容物が入り込み不衛生であった。また、定量栓には前記側壁面が形成されるため、内容物を計量する場所の体積は定量栓の側壁内面からになるので、１回分で注ぎだせる内容物の容量が少なくなってしまう傾向であった。更に、特許文献１では、容器内に装着するものではなく容器開口部の上に装着するものであり、定量栓にあわせた容器や定量栓に被せる蓋を製作する必要がありコストアップとなっていた。
【０００８】
本発明の目的は、上記課題を解決し、粉状物が外へ飛び散ることを軽減することが出来る定量中栓及び定量中栓付容器を提供することである。
【課題を解決するための手段】
【０００９】
容器の口部内に嵌着する合成樹脂材でできた定量中栓であって、前記定量中栓には内容物を外へ流出するための振出し口を有する天板部と、前記振出し口付近から下端へ延出した第２仕切板と、前記第２仕切板と垂直方向に連結し前記天板部から垂直に下端へ延出した整流板を備え、前記振出し口の下方には整流板と垂直方向に連結した底板を設置するとともに、前記底板には中心位置に向かって整流板と連結した略上向きとなる第１仕切板を備え、前記定量中栓を容器の口部内側面に嵌着保持させた時に、容器内側面と天板部と第１仕切板と第２仕切板と整流板の間に少なくとも、２つ以上の定量室が設置された定量中栓である。
【００１０】
整流板の嵌合面と天板部の嵌合面と底板部の嵌合面と第１仕切板の嵌合面と第２仕切板の嵌合面が容器口部付近の内側面と密着し嵌着保持させた定量中栓である。
【００１１】
振出し口と反対位置の天板部から整流板と垂直で交差し下端へ延出した嵌着片の嵌合面と天板部の嵌合面と底板部の嵌合面と第１仕切板の嵌合面と第２仕切板の嵌合面が容器口部付近の内側面と密着し嵌着保持させた定量中栓である。
【００１２】
第１仕切板の上端側の位置が、天板部の中心位置より振出し口側に形成された定量中栓である。
【００１３】
第２仕切板の下端側から中心位置に向かって略下向きとなる傾斜板を設けた定量中栓である。
【００１４】
第１仕切板の上端側から中心位置に向かって略上向きとなる第２傾斜板を設けた定量中栓である。
【００１５】
第２仕切板と連結し前記天板部から垂直に下端へ延出した整流板を複数設置した定量中栓である。
【００１６】
整流板と容器の仕切板が接合し２つ以上の貯蔵室が容器内に設置される定量中栓付容器である。
【発明の効果】
【００１７】
本発明は、容器の口部内に嵌着する合成樹脂材でできた定量中栓であって、前記定量中栓には内容物を外へ流出するための振出し口を有する天板部と、前記振出し口付近から下端へ延出した第２仕切板と、前記第２仕切板と垂直方向に連結し前記天板部から垂直に下端へ延出した整流板を備え、前記振出し口の下方には整流板と垂直方向に連結した底板を設置するとともに、前記底板には中心位置に向かって整流板と連結した略上向きとなる第１仕切板を備え、前記定量中栓を容器の口部内側面に嵌着保持させた時に、容器内側面と天板部と第１仕切板と第２仕切板と整流板の間に少なくとも、２つ以上の定量室が設置された定量中栓であるので、容器を傾けて逆さまにし再び元の位置に戻していく過程で、整流板が流れ出す粉状物の流出を制御するとともに、整流板により元の位置に戻す時に発生してしまう振出し口からの粉状物の飛び散りを軽減させることができる定量中栓を提供することができる。
【００１８】
また、整流板の嵌合面と天板部の嵌合面と底板部の嵌合面と第１仕切板の嵌合面と第２仕切板の嵌合面が容器口部付近の内側面と密着し嵌着保持させた定量中栓であるので、容器の内壁を利用することができるため、１度に計量できる計量値をたくさん取れる定量中栓を提供することができる。
【００１９】
更に、振出し口と反対位置の天板部から整流板と垂直で交差し下端へ延出した嵌着片の嵌合面と天板部の嵌合面と底板部の嵌合面と第１仕切板の嵌合面と第２仕切板の嵌合面が容器口部付近の内側面と密着し嵌着保持させた定量中栓であるので、嵌着片により定量中栓と容器の接合部増加し定量中栓をより確実に容器に嵌着させることができると共に、容器の内壁を利用することで定量室の体積が広く取れるので、１度に計量できる計量値をたくさん取れる定量中栓を提供することができる。
【００２０】
また、第１仕切板の上端側の位置が、天板部の中心位置より振出し口側に形成された定量中栓であるので、定量室の空間に確実に内容物を移動させるためには、第２仕切板と第１仕切板の奥行きの幅を狭く設定することで、前記定量室の奥まで内容物を確実に入れることができるので、繰り返し行われる計量で、計量値の誤差が少ない定量中栓を定量することができる。
【００２１】
更に、第２仕切板の下端側から中心位置に向かって略下向きとなる傾斜板を設けた定量中栓であるので、容器を傾けて逆さまにし再び元の位置に戻していく過程で、流れ出す粉状物の流出を制御するとともに、元の位置に戻す時に発生してしまう振出し口からの粉状物の飛び散りを軽減させることができる定量中栓を提供することができる。
【００２２】
また、第１仕切板の上端側から中心位置に向かって略上向きとなる第２傾斜板を設けた定量中栓であるので、定量室の体積を広くとることができる上、保管室へ確実に内容物を移動させることができるので、繰り返し行われる計量で計量値の誤差が少ない定量中栓を提供することができる。
【００２３】
更に、第２仕切板と連結し前記天板部から垂直に下端へ延出した整流板を複数設置した定量中栓であるので、整流板を1つ設置した場合に比べてより流れ出す粉状物の流出を制御するとともに、元の位置に戻す時に発生してしまう振出し口からの粉状物の飛び散りを整流板を1つ設置した場合に比べてより軽減させることができる定量中栓を提供することができる。
【００２４】
また、整流板と容器の仕切板が接合し２つ以上の貯蔵室が容器内に設置される定量中栓付容器であるので、２種類以上の内容物を別々の場所で保存することができるので、風味や臭い等の品質を損なわずに味わうことができる定量中栓付容器を提供することができる。
【発明を実施するための最良の形態】
【００２５】
図１乃至図７において、本発明は、インスタントコーヒーや砂糖などの粉状・顆粒状の内容物が入ったガラスなどでできた容器の口部内に嵌着させる定量中栓Ａである。また、前記容器は開口部の口径が容器胴体周より小さいネック形状を有する容器へ装着する定量中栓Ａである。また、前記容器口部内に嵌着する定量中栓Ａはポリプロピレンやポリエチレンなどの合成樹脂材でできている。更に、前記定量中栓Ａにはインスタントコーヒーや砂糖などの粉状・顆粒状の内容物を外へ流出するための開口した振出し口２を有する天板部１と、前記振出し口２付近から下端へ延出し板状の壁を形成した第２仕切板３と、前記振出し口２を左右で区分するように、前記第２仕切板３と垂直方向に連結し前記天板部１から垂直に下端へ延出した板状の壁となる整流板６を備えている。
【００２６】
また、前記振出し口２の下方には前記天板部１と水平な位置であって、前記整流板６と垂直方向に連結した底板４を設置し、前記底板４には中心位置に向かって前記整流板６と連結した前記底板４を角度０度とした場合に上向きに傾斜する角度が４０度から９０度内となる第１仕切板５を備えている。更に、前記整流板６を設置することで、容器を傾けて逆さまにし再び元の位置に戻していく過程で、前記整流板６が流れ出す粉状・顆粒状の内容物の流出を制御するとともに、元の位置に戻す時に発生してしまう振出し口２からの粉状・顆粒状の内容物の飛び散りを軽減させることができる定量中栓Ａを提供することができる。
【００２７】
また、前記定量中栓Ａをインスタントコーヒーなどの内容物が入ったネックを有するガラス瓶の容器の口部内側面に嵌着保持させた時に、容器の内側面と接する面の天板部１の嵌合面１ａと容器の内側面と接する面の第１仕切板５の嵌合面５ａと容器の内側面と接する面の第２仕切板３の嵌合面３ａと容器の内側面と接する面の底板４の嵌合面４ａと容器の内側面と接する面の整流板６の嵌合面６ａが容器内側面と密着し嵌着保持される。形状寸法の精度が低いガラス瓶などについては、内面寸法にバラツキが生じてしまうので、前記嵌合面１ａ、３ａ、４ａ、５ａ、６ａを容器内面周より薄肉で大きめに形成したり、わざと前記嵌合面１ａ、３ａ、４ａ、５ａ、６ａにバリを形成させることで、寸法形状にバラツキが発生する容器であっても、容器内側面の壁にそって前記嵌合面１ａ、３ａ、４ａ、５ａ、６ａが撓み密着させることができるので、インスタントコーヒーなどの粉状や顆粒状の内容物が、動作の過程で前記嵌合面１ａ、３ａ、４ａ、５ａ、６ａと容器内側面の隙間からこぼれることがなくなるので、確実に定量できる定量中栓Ａを提供することができる。
【００２８】
更に、前記定量中栓Ａを容器の口部内側面に嵌着保持させた時に、容器内側面の壁と天板部１の壁と第１仕切板５の壁と第２仕切板３の壁と整流板６の壁で囲われた部屋が少なくとも２つ以上形成された定量室８が設置される定量中栓Ａ付容器となるので、定量するスペースとして容器の内壁を利用するため、１度により多くの計量値を取ることができる定量中栓Ａを提供することができる。また、容器の内壁を利用するため軽量化がはかれ、原料代を削減することができる定量中栓Ａを提供することができる。
【００２９】
前記定量中栓Ａは、インスタントコーヒーや砂糖などの粉状・顆粒状の内容物が入ったガラスなどでできた容器に簡単に装着及び脱着出来るものであり、前記容器は開口部の口径が容器胴体周より小さいネック形状を有している容器に、特に機能を発揮するものである。
【００３０】
更に、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａを提供することができる。
【００３１】
次に本発明の異なる実施形態１である定量中栓Ａ１を図８乃至図１２に示す。インスタントコーヒーや砂糖などの粉状・顆粒状の内容物が入ったガラスなどでできた容器Ｂの口部内に嵌着させる定量中栓Ａ１である。また、前記容器Ｂは開口部の口径が容器Ｂ胴体周より小さいネックを有する容器Ｂに装着する定量中栓Ａ１である。更に、前記容器Ｂ口部内に嵌着する定量中栓Ａ１はポリプロピレンやポリエチレンなどの合成樹脂材でできている。また、前記定量中栓Ａ１にはインスタントコーヒーや砂糖などの粉状・顆粒状の内容物を外へ流出するための開口した振出し口２を有する天板部１と、前記振出し口２付近から下端へ延出し板状の壁を形成した第２仕切板３と、前記振出し口２を左右で区分するように、前記第２仕切板３と垂直方向に連結し前記天板部１から垂直に下端へ延出した板状の壁となる整流板６を備えている。
【００３２】
また、前記振出し口２の下方には前記天板部１と水平な位置であって、前記整流板６と垂直方向に連結した底板４を設置し、前記底板４には中心位置に向かって前記整流板６と連結した、前記底板４を角度０度とした場合に上向きに傾斜する角度が４０度から９０度以内となる第１仕切板５と、前記第２仕切板３の下端側から中心位置に向かって前記第２仕切板３を角度０度とした場合に上向きに傾斜する角度が３０度から６０度以内となる傾斜板７を設けた定量中栓Ａ１である。更に、前記傾斜板７を設置することで、容器Ｂを傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ１を提供することができる。
【００３３】
また、前記定量中栓Ａ１をインスタントコーヒーなどの内容物が入ったネックを有するガラス瓶の容器Ｂの口部内側面に嵌着保持させた時に、容器Ｂの内側面と接する面の天板部１の嵌合面１ａと容器Ｂの内側面と接する面の第１仕切板５の嵌合面５ａと容器Ｂの内側面と接する面の第２仕切板３の嵌合面３ａと容器の内側面と接する面の底板４の嵌合面４ａと容器Ｂの内側面と接する面の整流板６の嵌合面６ａと容器Ｂの内側面と接する面の傾斜板７の嵌合面７ａが容器Ｂ内側面と密着し嵌着保持できる。形状寸法の精度が低いガラス瓶などについては、内面寸法にバラツキが生じてしまうので、前記嵌合面１ａ、３ａ、４ａ、５ａ、６ａ、７ａを容器Ｂ内面周より薄肉で大きめに形成したり、わざと前記嵌合面１ａ、３ａ、４ａ、５ａ、６ａ、７ａにバリを形成させることで、寸法形状にバラツキが発生する容器Ｂであっても、容器Ｂ内側面の壁にそって前記嵌合面１ａ、３ａ、４ａ、５ａ、６ａ、７ａが撓み密着させることができるので、インスタントコーヒーなどの粉状や顆粒状の内容物が、動作の過程で前記嵌合面１ａ、３ａ、４ａ、５ａ、６ａ、７ａと容器Ｂ内側面の隙間からこぼれることがなくなるので、確実に定量できる定量中栓Ａ１を提供することができる。
【００３４】
更に、形状寸法の精度が低いガラス瓶などについては、内面寸法にバラツキが生じてしまうので、前記嵌合面１ａ、３ａ、４ａ、５ａ、６ａ、７ａを容器Ｂ内面周より薄肉で大きめに形成したり、わざと前記嵌合面１ａ、３ａ、４ａ、５ａ、６ａ、７ａにバリを形成させることで、寸法形状にバラツキが発生する容器Ｂであっても、容器Ｂ内側面の壁にそって前記嵌合面１ａ、３ａ、４ａ、５ａ、６ａ、７ａが撓み密着させることができるので、インスタントコーヒーなどの粉状物や顆粒物の内容物が、動作の過程で前記嵌合面１ａ、３ａ、４ａ、５ａ、６ａ、７ａと容器Ｂ内側面の隙間からこぼれることがなくなるので、確実に定量できる定量中栓Ａ１を提供することができる。
【００３５】
また、前記定量中栓Ａ１を容器Ｂの口部内側面に嵌着保持させた時に、容器Ｂ内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ１付容器Ｂとなるので、定量するスペースとして容器Ｂの内壁を利用するため、１度により多くの計量値を取ることができる定量中栓Ａ１を提供することができる。更に、容器Ｂの内壁を利用するため軽量化がはかれ、原料代を削減することができる定量中栓Ａ１を提供することができる。
【００３６】
前記定量中栓Ａ１は、インスタントコーヒーや砂糖などの粉状・顆粒状の内容物が入ったガラスなどでできた容器Ｂに簡単に装着及び脱着出来るものであり、前記容器Ｂは開口部の口径が容器Ｂ胴体周より小さいネック形状を有している容器Ｂに、特に機能を発揮するものである。
【００３７】
また、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａ１を定量することができる。
【００３８】
図１３乃至図１６において、内容物Ｃを外へ流出させるための動作方法を示す。図１３に示す状態から、図１４に示すように容器Ｂを逆さまに傾けると、容器Ｂ内の内容物Ｃは定量室８に溜まる。図１５から図１６に示すように容器Ｂを、元に位置に戻していくと内容物Ｃは前記定量室８から移動し保管室９へ流れ落ち、図１３に示すように容器Ｂが起立した状態になると、前記内容物Ｃは前記保管室９で保管された状態になる。再び、図１４乃至図１６に示す動作を繰り返すことで、前記保管室９に保管されていた内容物Ｃが外へ流出し、前記定量室８には新たな内容物Ｃが溜められることになる。内容物Ｃが細かい粒子になればなるほど、容器Ｂを傾けていった際に雪崩のような現状が発生してしまうため、前記整流板６を設置することで、前記整流板６が壁となり内容物Ｃである粒子の流れ出しを制御させる効果を有するので、勢い良く流れ出すこともなくなり、内容物Ｃである粒子が振出し口２から勢いあまって飛び散る事を緩和させる効果を有する。
【００３９】
また、前記傾斜板７を設置することで、前記定量室８の広さを多く確保できた状態で定量できる上、第２仕切板３の下端にくの字となる傾斜板７を形成し、第１仕切板５と前記傾斜板７の隙間となる通路の高さを粒子の大きさによって飛び散らない高さに設定することで、前記定量室８から前記保管室９へ流れ込む内容物の粒子の流れ出しを制御させる効果を有するので、勢い良く流れ出すこともなくなり、内容物である粒子が振出し口２から勢いあまって飛び散る事を防ぐ効果を有する。
【００４０】
次に本発明の異なる実施形態２を示す定量中栓Ａ２を図１７乃至図２５に示す。インスタントコーヒーや砂糖などの粉状・顆粒状の内容物が入ったガラスなどでできた容器Ｂ１の口部内に嵌着させる定量中栓Ａ２である。また、前記容器Ｂ１は開口部の口径が容器Ｂ１胴体周より小さいネックを有する容器Ｂ１に装着する定量中栓Ａ２である。更に、前記容器Ｂ１口部内に嵌着する定量中栓Ａ２はポリプロピレンやポリエチレンなどの合成樹脂材でできている。更に、前記定量中栓Ａ２にはインスタントコーヒーや砂糖などの粉状・顆粒状の内容物を外へ流出するための開口した振出し口２を有する天板部１と、前記振出し口２付近から下端へ延出し板状の壁を形成した第２仕切板３と、前記振出し口２を左右で区分するように、前記第２仕切板３と垂直方向に連結し前記天板部１から垂直に下端へ延出した板状の壁となる整流板６を備えている。
【００４１】
また、前記振出し口２の下方には前記天板部１と水平な位置であって、前記整流板６と垂直方向に連結した底板４を設置し、前記底板４には中心位置に向かって前記整流板６と連結した、前記底板４を角度０度とした場合に上向きに傾斜する角度が４０度から９０度以内となる第１仕切板５と、前記第２仕切板３の下端側から中心位置に向かって前記第２仕切板３を角度０度とした場合に上向きに傾斜する角度が３０度から６０度以内となる傾斜板７を設けた定量中栓Ａ２である。更に、前記傾斜板７を設置することで、容器Ｂ１を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ２を提供することができる。
【００４２】
また、前記定量中栓Ａ２をインスタントコーヒーなどの内容物が入ったネックを有するガラス瓶の容器Ｂ１の口部内側面に嵌着保持させた時に、振出し口２と反対位置の天板部１から整流板６と垂直で交差し下端へ延出した嵌着片６ａの容器Ｂ１の内側面と接する面の嵌着片６ｂの嵌合面６ａと、容器Ｂ１の内側面と接する面の天板部１の嵌合面１ａと、容器Ｂ１の内側面と接する面の第１仕切板５の嵌合面５ａと、容器Ｂ１の内側面と接する面の第２仕切板３の嵌合面３ａと、容器Ｂ１の内側面と接する面の整流板６の嵌合面６ａと、容器Ｂ１の内側面と接する面の傾斜板７の嵌合面７ａが容器Ｂ１内側面と密着し嵌着保持できる。
【００４３】
更に、形状寸法の精度が低いガラス瓶などについては、内面寸法にバラツキが生じてしまうので、前記嵌合面１ａ、３ａ、４ａ、５ａ、６ａ、７ａを容器Ｂ１内面周より薄肉で大きめに形成したり、わざと前記嵌合面１ａ、３ａ、４ａ、５ａ、６ａ、７ａにバリを形成させることで、寸法形状にバラツキが発生する容器Ｂ１であっても、容器Ｂ１内側面の壁にそって前記嵌合面１ａ、３ａ、４ａ、５ａ、６ａ、７ａが撓み密着させることができるので、インスタントコーヒーなどの粉状や顆粒状の内容物が、動作の過程で前記嵌合面１ａ、３ａ、４ａ、５ａ、６ａ、７ａと容器Ｂ１内側面の隙間からこぼれることがなくなるので、確実に定量できる定量中栓Ａ２を提供することができる。
【００４４】
また、前記定量中栓Ａ２を容器Ｂ１の口部内側面に嵌着保持させた時に、容器Ｂ１内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ２付容器Ｂ１となるので、定量するスペースとして容器Ｂ１の内壁を利用するため、１度により多くの計量値を取ることができる定量中栓Ａ２を提供することができる。更に、容器Ｂ１の内壁を利用するため軽量化がはかれ、原料代を削減することができる定量中栓Ａ２を提供することができる。
【００４５】
前記定量中栓Ａ２は、インスタントコーヒーや砂糖などの粉状・顆粒状の内容物が入ったガラスなどでできた容器Ｂ１に簡単に装着及び脱着出来るものであり、前記容器Ｂ１は開口部の口径が容器Ｂ１胴体周より小さいネック形状を有している容器Ｂ１に、特に機能を発揮するものである。
【００４６】
次に本発明の異なる実施形態３を示す定量中栓Ａ３を図２６乃至図２９に示す。インスタントコーヒーや砂糖などの粉状・顆粒状の内容物が入ったガラスなどでできた容器Ｂ２の口部内に嵌着させる定量中栓Ａ３である。また、前記容器Ｂ２は開口部の口径が容器Ｂ２胴体周より小さいネックを有する容器Ｂ２に装着する定量中栓Ａ３である。更に、前記容器Ｂ２口部内に嵌着する定量中栓Ａ３はポリプロピレンやポリエチレンなどの合成樹脂材でできている。更に、前記定量中栓Ａ３にはインスタントコーヒーや砂糖などの粉状・顆粒状の内容物を外へ流出するための開口した振出し口２を有する天板部１と、前記振出し口２付近から下端へ延出し板状の壁を形成した第２仕切板３と、前記振出し口２を左右で区分するように、前記第２仕切板３と垂直方向に連結し前記天板部１から垂直に下端へ延出した板状の壁となる整流板６を備えている。
【００４７】
また、前記振出し口２の下方には前記天板部１と水平な位置であって、前記整流板６と垂直方向に連結した底板４を設置し、前記底板４には中心位置に向かって前記整流板６と連結した、前記底板４を角度０度とした場合に上向きに傾斜する角度が４０度から９０度以内となる第１仕切板５と、前記第１仕切板５の上端側から中心位置に向かって前記底板４を角度０度とした場合に上向きに傾斜する角度が３０度から６０度以内の第２傾斜板１０と、前記第２仕切板３の下端側から中心位置に向かって前記第２仕切板３を角度０度とした場合に上向きに傾斜する角度が３０度から６０度以内となる傾斜板７を設けた定量中栓Ａ３である。また、前記傾斜板７を設置することで、容器を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ３を提供することができる。
【００４８】
更に、前記定量中栓Ａ３をインスタントコーヒーなどの内容物が入ったネックを有するガラス瓶の容器の口部内側面に嵌着保持させた時に、振出し口２と反対位置の天板部１から整流板６と垂直で交差し下端へ延出した嵌着片６ａの容器Ｂ２の内側面と接する面の嵌着片６ｂの嵌合面６ａと、容器の内側面と接する面の天板部１の嵌合面１ａと、容器の内側面と接する面の第１仕切板５の嵌合面５ａと、容器の内側面と接する面の第２仕切板３の嵌合面３ａと、容器の内側面と接する面の底板４の嵌合面４ａと、容器の内側面と接する面の整流板６の嵌合面６ａと、容器Ｂ２の内側面と接する面の傾斜板７の嵌合面７ａと容器の内側面と接する面の第２傾斜板の嵌合面１０ａが容器Ｂ２内側面と密着し嵌着保持できる。
【００４９】
形状寸法の精度が低いガラス瓶などについては、内面寸法にバラツキが生じてしまうので、前記嵌合面１ａ、５ａ、３ａ、４ａ、６ａ、７ａ、１０ａを容器内面周より薄肉で大きめに形成したり、わざと前記嵌合面１ａ、５ａ、３ａ、４ａ、６ａ、７ａ、１０ａにバリを形成させることで、寸法形状にバラツキが発生する容器Ｂ２であっても、容器Ｂ２内側面の壁にそって前記嵌合面１ａ、５ａ、３ａ、４ａ、６ａ、７ａ、１０ａが撓み密着させることができるので、インスタントコーヒーなどの粉状や顆粒状の内容物が、動作の過程で前記嵌合面１ａ、５ａ、３ａ、４ａ、６ａ、７ａと容器Ｂ２内側面の隙間からこぼれることがなくなるので、確実に定量できる定量中栓Ａ３を提供することができる。
【００５０】
また、前記定量中栓Ａ３を容器Ｂ２の口部内側面に嵌着保持させた時に、容器内側面の壁と天板部１の壁と第１仕切板５の壁と第２仕切板３の壁と整流板６の壁と傾斜板７の壁と第２傾斜板１０の壁で囲われた部屋が少なくとも２つ以上形成された定量室８が設置される定量中栓Ａ３付容器となるので、定量するスペースとして容器の内壁を利用するため、１度により多くの計量値を取ることができる定量中栓Ａ３を提供することができる。更に、容器Ｂ２の内壁を利用するため軽量化がはかれ、原料代を削減することができる定量中栓Ａ３を提供することができる。
【００５１】
前記定量中栓Ａ３は、インスタントコーヒーや砂糖などの粉状・顆粒状の内容物が入ったガラスなどでできた容器に簡単に装着及び脱着出来るものであり、前記容器Ｂ２は開口部の口径が容器Ｂ２胴体周より小さいネック形状を有している容器Ｂ２に、特に機能を発揮するものである。
【００５２】
また、整流板６と図３０示す容器Ｂ２の仕切板Ｂａが接合し、２つ以上の貯蔵室Ｂｂが容器Ｂ２内に設置される定量中栓付容器Ａ３であるので、２種類以上の内容物を別々の場所で保存することができるので、風味や臭い等の品質を損なわずに味わうことができる定量中栓付容器Ａ３を提供することができる。
【００５３】
尚、上記実施形態、実施形態１、実施形態２、実施形態３においては何れも整流板６は1つでしたが、整流板６は２つ以上の複数個設置しても良い。
【図面の簡単な説明】
【００５４】
【図１】本発明の実施形態を示す定量中栓の斜視図１である。
【図２】同実施形態を示す定量中栓の斜視図２である。
【図３】同実施形態を示す定量中栓の側面図である。
【図４】同実施形態を示す定量中栓の上面図である。
【図５】同実施形態を示す定量中栓の底面図である。
【図６】同実施形態を示す定量中栓の正面図である。
【図７】同実施形態を示す定量中栓の背面図である。
【図８】本発明の異なる実施形態１を示す斜視図１である。
【図９】図８に示す実施形態１の斜視図２である。
【図１０】図８に示す実施形態１の側面図である。
【図１１】図８の定量中栓を容器へセットした状態を示す斜視図１である。
【図１２】図８の定量中栓を容器へセットした状態を示す斜視図２である。
【図１３】図１１の動作方法１を示す側面図である。
【図１４】図１１の動作方法２を示す側面図である。
【図１５】図１１の動作方法３を示す側面図である。
【図１６】図１１の動作方法４を示す側面図である。
【図１７】本発明の異なる実施形態２を示す斜視図１である。
【図１８】図１７に示す実施形態２の斜視図２である。
【図１９】図１７に示す実施形態２の側面図である。
【図２０】図１７に示す実施形態２の上面図である。
【図２１】図１７に示す実施形態２の底面図である。
【図２２】図１７に示す実施形態２の正面図である。
【図２３】図１７に示す実施形態２の背面図である。
【図２４】図１７の定量中栓を容器へセットした状態を示す斜視図１である。
【図２５】図１７の定量中栓を容器へセットした状態を示す斜視図２である。
【図２６】本発明の異なる実施形態３を示す斜視図１である。
【図２７】図２６に示す実施形態３の斜視図２である。
【図２８】図２６の動作方法１を示す側面図である。
【図２９】図２６の動作方法１を示す底面図である。
【図３０】容器内に仕切板を設置した斜視図である。
【符号の説明】
【００５５】
１        天板部
１ａ      嵌合面
２        振出し口
３        第２仕切板
３ａ      嵌合面
４        底板
４ａ      嵌合面
５        第１仕切板
５ａ      嵌合面
６        整流板
６ａ      嵌合面
６ｂ      嵌着片
７        傾斜板
７ａ      嵌合面
８        定量室
９        保管室
１０      第２傾斜板
１０ａ    嵌合面
Ａ        定量中栓
Ａ１      定量中栓
Ａ２      定量中栓
Ａ３      定量中栓
Ｂ        容器
Ｂ１      容器
Ｂ２      容器
Ｂａ      仕切板
Ｂｂ      貯蔵室
Ｃ        内容物
【図１】
2009262982.tif 000003
【図２】
2009262982.tif 000004
【図３】
2009262982.tif 000005
【図４】
2009262982.tif 000006
【図５】
2009262982.tif 000007
【図６】
2009262982.tif 000008
【図７】
2009262982.tif 000009
【図８】
2009262982.tif 000010
【図９】
2009262982.tif 000011
【図１０】
2009262982.tif 000012
【図１１】
2009262982.tif 000013
【図１２】
2009262982.tif 000014
【図１３】
2009262982.tif 000015
【図１４】
2009262982.tif 000016
【図１５】
2009262982.tif 000017
【図１６】
2009262982.tif 000018
【図１７】
2009262982.tif 000019
【図１８】
2009262982.tif 000020
【図１９】
2009262982.tif 000021
【図２０】
2009262982.tif 000022
【図２１】
2009262982.tif 000023
【図２２】
2009262982.tif 000024
【図２３】
2009262982.tif 000025
【図２４】
2009262982.tif 000026
【図２５】
2009262982.tif 000027
【図２６】
2009262982.tif 000028
【図２７】
2009262982.tif 000029
【図２８】
2009262982.tif 000030
【図２９】
2009262982.tif 000031
【図３０】
2009262982.tif 000032
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には天板部の中心位置に向かって整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置されることを特徴する定量中栓。
【請求項２】
第１仕切板の上端が天板部の中心位置より振出し口側に形成されたことを特徴とする請求項１に記載の定量中栓。
【請求項３】
第２仕切板がくの字になるように、第２仕切板に傾斜板を設けたことを特徴とする請求項１乃至請求項２に記載の定量中栓。
【請求項４】
第１仕切板が逆くの字になるように、第１仕切板に第２傾斜板を設けたことを特徴とする請求項１乃至請求項３に記載の定量中栓。
【請求項５】
第２仕切板と連結し前記天板部から垂直に下方へ延出した整流板を複数設置したことを特徴とする請求項１乃至請求項４に記載の定量中栓。
【請求項６】
整流板の嵌合面と天板部の嵌合面と底板部の嵌合面と第１仕切板の嵌合面と第２仕切板の嵌合面が容器口部付近の内側面と密着し嵌着させたことを特徴とする請求項１乃至請求項５に記載の定量中栓。
【請求項７】
振出し口と反対位置の天板部から整流板と直角で交差し下方へ延出した嵌着片の嵌合面と天板部の嵌合面と底板部の嵌合面と第１仕切板の嵌合面と第２仕切板の嵌合面が容器口部付近の内側面と密着し嵌着させたことを特徴とする請求項１乃至請求項５に記載に記載の定量中栓。
【請求項８】
定量中栓の整流板と容器の仕切板が接合し２つ以上の貯蔵室を容器内に設置し、請求項１乃至請求項７に記載の定量中栓を容器の口部内に取り付けたことを特徴とする定量中栓付容器。
【手続補正２】
【補正対象書類名】明細書
【補正対象項目名】全文
【補正方法】変更
【補正の内容】
【発明の詳細な説明】
【技術分野】
【０００１】
本発明は、コーヒーや砂糖などの粉状・顆粒状の内容物が入った容器に装着し一定量づつ振出せる定量中栓及び定量中栓付容器に関するものである。
【背景技術】
【０００２】
粉状のガーリックや胡しょう等の調味料や洗顔用粉石鹸等の粉状物を収納して定量で取り出すことが出来る定量吐出容器として、下部内周面から上部一側方に向かって傾斜する第一傾斜隔壁と、第一傾斜隔壁と反対位置で直交するように第二隔壁を設け、第二隔壁の上端部分に吐出口を設けた粉状物定量吐出容器が特許文献１に記載されている。
【０００３】
塩、こしょう等の粉末の振出容器に装着される可変式の計量栓として、筒部内を第１ガイド板後方側に形成された下面開口の流入室と、第２ガイド板前方側に形成された貯留室と、流入室と貯留室とそれぞれ連通する計量室を有し、計量室の容量を増大、減少させることが可能な粉末計量栓が特許文献２に記載されている。
【０００４】
内容物を一定量ずつ振出しできるようにした蓋装置として、流入口、中間溜まり部、計量室及び振出し口を備えた計量体が特許文献３に記載されている。
【０００５】
【特許文献１】実開昭６２−１４６７５４号公報
【特許文献２】実開昭６３−４６３５７号公報
【特許文献３】特開平９−２７８０５５号公報
【発明の開示】
【発明が解決しようとする課題】
【０００６】
特許文献１、２及び特許文献３のいずれも粉状物や顆粒物を一定量ずつ取り出すことができる定量栓であるが、内容物である粉状物が細かくなると容器を傾けて逆さまにし再び元の位置に戻していく過程で、一度流れ出した粉状物が止まらずに流れ出てしてしまう時があり、その状態で無理やり容器を元の位置に戻してしまうと、振出し口から粉状物が外へ飛び散ってしまい、机や床にまでこぼれてしまう場合が発生していた。また、流れ出しが激しいため内容物の振出す分量には毎回誤差が発生してしまう状態であった。
【０００７】
更に、特許文献２及び特許文献３では、前記定量栓は容器の開口部内に装着するものであるが、開口部の内壁面と前記定量栓の側壁面とで嵌着するように形成しているため、注ぎ出す過程を繰り返す中で、前記内壁面と前記側壁面の間の隙間へ内容物が入り込み不衛生であった。また、定量栓には前記側壁面が形成されるため、内容物を計量する場所の体積は定量栓の側壁内面からになるので、１回分で注ぎだせる内容物の容量が少なくなってしまう傾向であった。更に、特許文献１では、容器内に装着するものではなく容器開口部の上に装着するものであり、定量栓にあわせた容器や定量栓に被せる蓋を製作する必要がありコストアップとなっていた。
【０００８】
本発明の目的は、上記課題を解決し、粉状物が外へ飛び散ることを軽減することが出来る定量中栓及び定量中栓付容器を提供することである。
【課題を解決するための手段】
【０００９】
容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には天板部の中心位置に向かって整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置された定量中栓である。
【００１０】
第１仕切板の上端が天板部の中心位置より振出し口側に形成された定量中栓である。  
【００１１】
第２仕切板がくの字になるように、第２仕切板に傾斜板を設けた定量中栓である。
【００１２】
第１仕切板が逆くの字になるように、第１仕切板に第２傾斜板を設けた定量中栓である。
【００１３】
第２仕切板と連結し前記天板部から垂直に下方へ延出した整流板を複数設置した定量中栓である。
【００１４】
整流板の嵌合面と天板部の嵌合面と底板部の嵌合面と第１仕切板の嵌合面と第２仕切板の嵌合面が容器口部付近の内側面と密着し嵌着させた定量中栓である。
【００１５】
振出し口と反対位置の天板部から整流板と直角で交差し下方へ延出した嵌着片の嵌合面と天板部の嵌合面と底板部の嵌合面と第１仕切板の嵌合面と第２仕切板の嵌合面が容器口部付近の内側面と密着し嵌着させた定量中栓である。
【００１６】
定量中栓の整流板と容器の仕切板が接合し２つ以上の貯蔵室を容器内に設置し、定量中栓を容器の口部内に取り付けた定量中栓付容器である。
【発明の効果】
【００１７】
本発明は、容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には天板部の中心位置に向かって整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置された定量中栓であるので、容器を傾けて逆さまにし再び元の位置に戻していく過程で、整流板が流れ出す粉状物の流出を制御するとともに、整流板により元の位置に戻す時に発生してしまう振出し口からの粉状物の飛び散りを軽減させることができる定量中栓を提供することができる。
【００１８】
また、第１仕切板の上端が天板部の中心位置より振出し口側に形成された定量中栓であるので、定量室の空間に確実に内容物を移動させるためには、第２仕切板と第１仕切板の奥行きの幅を狭く設定することで、前記定量室の奥まで内容物を確実に入れることができるので、繰り返し行われる計量で、計量値の誤差が少ない定量中栓を定量することができる。
【００１９】
更に、第２仕切板がくの字になるように、傾斜板を設けた定量中栓であるので、容器を傾けて逆さまにし再び元の位置に戻していく過程で、流れ出す粉状物の流出を制御するとともに、元の位置に戻す時に発生してしまう振出し口からの粉状物の飛び散りを軽減させることができる定量中栓を提供することができる。
【００２０】
また、第１仕切板が逆くの字になるように、第１仕切板に第２傾斜板を設けた定量中栓であるので、定量室の空間に確実に内容物を移動させるためには、第２仕切板と第１仕切板の奥行きの幅を狭く設定することで、前記定量室の奥まで内容物を確実に入れることができるので、繰り返し行われる計量で、計量値の誤差が少ない定量中栓を定量することができる。
【００２１】
更に、第２仕切板と連結し前記天板部から垂直に下方へ延出した整流板を複数設置した定量中栓であるので、整流板を1つ設置した場合に比べてより流れ出す粉状物の流出を制御するとともに、元の位置に戻す時に発生してしまう振出し口からの粉状物の飛び散りを整流板を1つ設置した場合に比べてより軽減させることができる定量中栓を提供することができる。
【００２２】
また、整流板の嵌合面と天板部の嵌合面と底板部の嵌合面と第１仕切板の嵌合面と第２仕切板の嵌合面が容器口部付近の内側面と密着し嵌着させた定量中栓であるので、容器の内壁を利用することができるため、１度に計量できる計量値をたくさん取れる定量中栓を提供することができる。
【００２３】
更に、振出し口と反対位置の天板部から整流板と直角で交差し下方へ延出した嵌着片の嵌合面と天板部の嵌合面と底板部の嵌合面と第１仕切板の嵌合面と第２仕切板の嵌合面が容器口部付近の内側面と密着し嵌着させた定量中栓であるので、嵌着片により定量中栓と容器の接合部増加し定量中栓をより確実に容器に嵌着させることができると共に、容器の内壁を利用することで定量室の体積が広く取れるので、１度に計量できる計量値をたくさん取れる定量中栓を提供することができる。
【００２４】
また、定量中栓の整流板と容器の仕切板が接合し２つ以上の貯蔵室を容器内に設置し、定量中栓を容器の口部内に取り付けた定量中栓付容器であるので、２種類以上の内容物を別々の場所で保存することができるので、風味や臭い等の品質を損なわずに味わうことができる定量中栓付容器を提供することができる。
【発明を実施するための最良の形態】
【００２５】
図１乃至図７において、本発明は、インスタントコーヒーや砂糖などの粉状・顆粒状の内容物が入ったガラスなどでできた容器の口部内に嵌着させる定量中栓Ａである。また、前記容器は開口部の口径が容器胴体周より小さいネック形状を有する容器へ装着する定量中栓Ａである。また、前記容器口部内に嵌着する定量中栓Ａはポリプロピレンやポリエチレンなどの合成樹脂材でできている。更に、前記定量中栓Ａにはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００２６】
また、前記振出し口２の下方には前記天板部１と平行な位置であって、前記整流板６と直角に連結した底板４を設置し、前記底板４には天板部１の中心位置に向かって前記整流板６と連結した前記底板４を角度０度とした場合に上向きに傾斜する角度が４０度から９０度内となる第１仕切板５を備えている。更に、前記整流板６を設置することで、容器を傾けて逆さまにし再び元の位置に戻していく過程で、前記整流板６が流れ出す粉状・顆粒状の内容物の流出を制御するとともに、元の位置に戻す時に発生してしまう振出し口２からの粉状・顆粒状の内容物の飛び散りを軽減させることができる定量中栓Ａを提供することができる。
【００２７】
また、前記定量中栓Ａをインスタントコーヒーなどの内容物が入ったネックを有するガラス瓶の容器の口部内側面に嵌着させた時に、容器の内側面と接する面の天板部１の嵌合面１ａと容器の内側面と接する面の第１仕切板５の嵌合面５ａと容器の内側面と接する面の第２仕切板３の嵌合面３ａと容器の内側面と接する面の底板４の嵌合面４ａと容器の内側面と接する面の整流板６の嵌合面６ａが容器内側面と密着し嵌着される。形状寸法の精度が低いガラス瓶などについては、内面寸法にバラツキが生じてしまうので、前記嵌合面１ａ、３ａ、４ａ、５ａ、６ａを容器内面周より薄肉で大きめに形成したり、わざと前記嵌合面１ａ、３ａ、４ａ、５ａ、６ａにバリを形成させることで、寸法形状にバラツキが発生する容器であっても、容器内側面の壁にそって前記嵌合面１ａ、３ａ、４ａ、５ａ、６ａが撓み密着させることができるので、インスタントコーヒーなどの粉状や顆粒状の内容物が、動作の過程で前記嵌合面１ａ、３ａ、４ａ、５ａ、６ａと容器内側面の隙間からこぼれることがなくなるので、確実に定量できる定量中栓Ａを提供することができる。
【００２８】
更に、前記定量中栓Ａを容器の口部内側面に嵌着させた時に、容器内側面の壁と天板部１の壁と第１仕切板５の壁と第２仕切板３の壁と整流板６の壁で囲われた部屋が少なくとも２つ以上形成された定量室８が設置される定量中栓Ａ付容器となるので、定量するスペースとして容器の内壁を利用するため、１度により多くの計量値を取ることができる定量中栓Ａを提供することができる。また、容器の内壁を利用するため軽量化がはかれ、原料代を削減することができる定量中栓Ａを提供することができる。
【００２９】
前記定量中栓Ａは、インスタントコーヒーや砂糖などの粉状・顆粒状の内容物が入ったガラスなどでできた容器に簡単に装着及び脱着出来るものであり、前記容器は開口部の口径が容器胴体周より小さいネック形状を有している容器に、特に機能を発揮するものである。
【００３０】
更に、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａを提供することができる。
【００３１】
次に本発明の異なる実施形態１である定量中栓Ａ１を図８乃至図１２に示す。インスタントコーヒーや砂糖などの粉状・顆粒状の内容物が入ったガラスなどでできた容器Ｂの口部内に嵌着させる定量中栓Ａ１である。また、前記容器Ｂは開口部の口径が容器Ｂ胴体周より小さいネックを有する容器Ｂに装着する定量中栓Ａ１である。更に、前記容器Ｂ口部内に嵌着する定量中栓Ａ１はポリプロピレンやポリエチレンなどの合成樹脂材でできている。また、前記定量中栓Ａ１にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００３２】
また、前記振出し口２の下方には前記天板部１と平行な位置であって、前記整流板６と直角に連結した底板４を設置し、前記底板４には天板部１の中心位置に向かって前記整流板６と連結した、前記底板４を角度０度とした場合に上向きに傾斜する角度が４０度から９０度以内となる第１仕切板５と、前記第２仕切板３の下端が天板部１の中心位置に向かって前記第２仕切板３を角度０度とした場合に上向きに傾斜する角度が３０度から６０度以内となる傾斜板７を設け、前記第２仕切板３がくの字になるように前記傾斜板７を設けた定量中栓Ａ１である。更に、前記傾斜板７を設けることで、容器Ｂを傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ１を提供することができる。
【００３３】
また、前記定量中栓Ａ１をインスタントコーヒーなどの内容物が入ったネックを有するガラス瓶の容器Ｂの口部内側面に嵌着させた時に、容器Ｂの内側面と接する面の天板部１の嵌合面１ａと容器Ｂの内側面と接する面の第１仕切板５の嵌合面５ａと容器Ｂの内側面と接する面の第２仕切板３の嵌合面３ａと容器の内側面と接する面の底板４の嵌合面４ａと容器Ｂの内側面と接する面の整流板６の嵌合面６ａと容器Ｂの内側面と接する面の傾斜板７の嵌合面７ａが容器Ｂ内側面と密着し嵌着している。
【００３４】
形状寸法の精度が低いガラス瓶などについては、内面寸法にバラツキが生じてしまうので、前記嵌合面１ａ、３ａ、４ａ、５ａ、６ａ、７ａを容器Ｂ内面周より薄肉で大きめに形成したり、わざと前記嵌合面１ａ、３ａ、４ａ、５ａ、６ａ、７ａにバリを形成させることで、寸法形状にバラツキが発生する容器Ｂであっても、容器Ｂ内側面の壁にそって前記嵌合面１ａ、３ａ、４ａ、５ａ、６ａ、７ａが撓み密着させることができるので、インスタントコーヒーなどの粉状物や顆粒物の内容物が、動作の過程で前記嵌合面１ａ、３ａ、４ａ、５ａ、６ａ、７ａと容器Ｂ内側面の隙間からこぼれることがなくなるので、確実に定量できる定量中栓Ａ１を提供することができる。
【００３５】
また、前記定量中栓Ａ１を容器Ｂの口部内側面に嵌着させた時に、容器Ｂ内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ１付容器Ｂとなるので、定量するスペースとして容器Ｂの内壁を利用するため、１度により多くの計量値を取ることができる定量中栓Ａ１を提供することができる。更に、容器Ｂの内壁を利用するため軽量化がはかれ、原料代を削減することができる定量中栓Ａ１を提供することができる。
【００３６】
前記定量中栓Ａ１は、インスタントコーヒーや砂糖などの粉状・顆粒状の内容物が入ったガラスなどでできた容器Ｂに簡単に装着及び脱着出来るものであり、前記容器Ｂは開口部の口径が容器Ｂ胴体周より小さいネック形状を有している容器Ｂに、特に機能を発揮するものである。
【００３７】
また、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａ１を定量することができる。
【００３８】
図１３乃至図１６において、内容物Ｃを外へ流出させるための動作方法を示す。図１３に示す状態から、図１４に示すように容器Ｂを逆さまに傾けると、容器Ｂ内の内容物Ｃは定量室８に溜まる。図１５から図１６に示すように容器Ｂを、元に位置に戻していくと内容物Ｃは前記定量室８から移動し保管室９へ流れ落ち、図１３に示すように容器Ｂが起立した状態になると、前記内容物Ｃは前記保管室９で保管された状態になる。再び、図１４乃至図１６に示す動作を繰り返すことで、前記保管室９に保管されていた内容物Ｃが外へ流出し、前記定量室８には新たな内容物Ｃが溜められることになる。内容物Ｃが細かい粒子になればなるほど、容器Ｂを傾けていった際に雪崩のような現状が発生してしまうため、前記整流板６を設置することで、前記整流板６が壁となり内容物Ｃである粒子の流れ出しを制御させる効果を有するので、勢い良く流れ出すこともなくなり、内容物Ｃである粒子が振出し口２から勢いあまって飛び散る事を緩和させる効果を有する。
【００３９】
また、前記傾斜板７を設けることで、前記定量室８の広さを多く確保できた状態で定量できる上、第２仕切板３の下端にくの字となる傾斜板７を形成し、第１仕切板５と前記傾斜板７の隙間となる通路の高さを粒子の大きさによって飛び散らない高さに設定することで、前記定量室８から前記保管室９へ流れ込む内容物の粒子の流れ出しを制御させる効果を有するので、勢い良く流れ出すこともなくなり、内容物である粒子が振出し口２から勢いあまって飛び散る事を防ぐ効果を有する。
【００４０】
次に本発明の異なる実施形態２を示す定量中栓Ａ２を図１７乃至図２５に示す。インスタントコーヒーや砂糖などの粉状・顆粒状の内容物が入ったガラスなどでできた容器Ｂ１の口部内に嵌着させる定量中栓Ａ２である。また、前記容器Ｂ１は開口部の口径が容器Ｂ１胴体周より小さいネックを有する容器Ｂ１に装着する定量中栓Ａ２である。更に、前記容器Ｂ１口部内に嵌着する定量中栓Ａ２はポリプロピレンやポリエチレンなどの合成樹脂材でできている。更に、前記定量中栓Ａ２にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００４１】
また、前記振出し口２の下方には前記天板部１と平行な位置であって、前記整流板６と直角に連結した底板４を設置し、前記底板４には天板部１の中心位置に向かって前記整流板６と連結した、前記底板４を角度０度とした場合に上向きに傾斜する角度が４０度から９０度以内となる第１仕切板５と、前記第２仕切板３の下端側から中心位置に向かって前記第２仕切板３を角度０度とした場合に上向きに傾斜する角度が３０度から６０度以内となる傾斜板７を設け、前記第２仕切板３がくの字になるように前記傾斜板７設けた定量中栓Ａ２である。更に、前記傾斜板７を設置することで、容器Ｂ１を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ２を提供することができる。
【００４２】
また、前記定量中栓Ａ２をインスタントコーヒーなどの内容物が入ったネックを有するガラス瓶の容器Ｂ１の口部内側面に嵌着させた時に、振出し口２と反対位置の天板部１から整流板６と垂直で交差し下方へ延出した嵌着片６ａの容器Ｂ１の内側面と接する面の嵌着片６ｂの嵌合面６ａと、容器Ｂ１の内側面と接する面の天板部１の嵌合面１ａと、容器Ｂ１の内側面と接する面の第１仕切板５の嵌合面５ａと、容器Ｂ１の内側面と接する面の第２仕切板３の嵌合面３ａと、容器Ｂ１の内側面と接する面の整流板６の嵌合面６ａと、容器Ｂ１の内側面と接する面の傾斜板７の嵌合面７ａが容器Ｂ１内側面と密着し嵌着できる。
【００４３】
形状寸法の精度が低いガラス瓶などについては、内面寸法にバラツキが生じてしまうので、前記嵌合面１ａ、３ａ、４ａ、５ａ、６ａ、７ａを容器Ｂ１内面周より薄肉で大きめに形成したり、わざと前記嵌合面１ａ、３ａ、４ａ、５ａ、６ａ、７ａにバリを形成させることで、寸法形状にバラツキが発生する容器Ｂ１であっても、容器Ｂ１内側面の壁にそって前記嵌合面１ａ、３ａ、４ａ、５ａ、６ａ、７ａが撓み密着させることができるので、インスタントコーヒーなどの粉状や顆粒状の内容物が、動作の過程で前記嵌合面１ａ、３ａ、４ａ、５ａ、６ａ、７ａと容器Ｂ１内側面の隙間からこぼれることがなくなるので、確実に定量できる定量中栓Ａ２を提供することができる。
【００４４】
また、前記定量中栓Ａ２を容器Ｂ１の口部内側面に嵌着させた時に、容器Ｂ１内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ２付容器Ｂ１となるので、定量するスペースとして容器Ｂ１の内壁を利用するため、１度により多くの計量値を取ることができる定量中栓Ａ２を提供することができる。更に、容器Ｂ１の内壁を利用するため軽量化がはかれ、原料代を削減することができる定量中栓Ａ２を提供することができる。
【００４５】
前記定量中栓Ａ２は、インスタントコーヒーや砂糖などの粉状・顆粒状の内容物が入ったガラスなどでできた容器Ｂ１に簡単に装着及び脱着出来るものであり、前記容器Ｂ１は開口部の口径が容器Ｂ１胴体周より小さいネック形状を有している容器Ｂ１に、特に機能を発揮するものである。
【００４６】
次に本発明の異なる実施形態３を示す定量中栓Ａ３を図２６乃至図２９に示す。インスタントコーヒーや砂糖などの粉状・顆粒状の内容物が入ったガラスなどでできた容器Ｂ２の口部内に嵌着させる定量中栓Ａ３である。また、前記容器Ｂ２は開口部の口径が容器Ｂ２胴体周より小さいネックを有する容器Ｂ２に装着する定量中栓Ａ３である。更に、前記容器Ｂ２口部内に嵌着する定量中栓Ａ３はポリプロピレンやポリエチレンなどの合成樹脂材でできている。更に、前記定量中栓Ａ３にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００４７】
また、前記振出し口２の下方には前記天板部１と平行な位置であって、前記整流板６と直角に連結した底板４を設置し、前記底板４には天板部１の中心位置に向かって前記整流板６と連結した、前記底板４を角度０度とした場合に上向きに傾斜する角度が４０度から９０度以内となる第１仕切板５と、前記第１仕切板５の上端に天板部１の中心位置に向かって前記底板４を角度０度とした場合に上向きに傾斜する角度が３０度から６０度以内の第２傾斜板１０と、前記第２仕切板３の下端が天板部１の中心位置に向かって前記第２仕切板３を角度０度とした場合に上向きに傾斜する角度が３０度から６０度以内となる傾斜板７を設け、前記第２仕切板３がくの字になる前記傾斜板７を設けた定量中栓Ａ３である。前記第１仕切板５は逆くの字になるように前記第２傾斜板１０を形成している。また、前記傾斜板７を設置することで、容器を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ３を提供することができる。
【００４８】
更に、前記定量中栓Ａ３をインスタントコーヒーなどの内容物が入ったネックを有するガラス瓶の容器の口部内側面に嵌着保持させた時に、振出し口２と反対位置の天板部１から整流板６と垂直で交差し下端へ延出した嵌着片６ａの容器Ｂ２の内側面と接する面の嵌着片６ｂの嵌合面６ａと、容器の内側面と接する面の天板部１の嵌合面１ａと、容器の内側面と接する面の第１仕切板５の嵌合面５ａと、容器の内側面と接する面の第２仕切板３の嵌合面３ａと、容器の内側面と接する面の底板４の嵌合面４ａと、容器の内側面と接する面の整流板６の嵌合面６ａと、容器Ｂ２の内側面と接する面の傾斜板７の嵌合面７ａと容器の内側面と接する面の第２傾斜板の嵌合面１０ａが容器Ｂ２内側面と密着し嵌着できる。
【００４９】
形状寸法の精度が低いガラス瓶などについては、内面寸法にバラツキが生じてしまうので、前記嵌合面１ａ、５ａ、３ａ、４ａ、６ａ、７ａ、１０ａを容器内面周より薄肉で大きめに形成したり、わざと前記嵌合面１ａ、５ａ、３ａ、４ａ、６ａ、７ａ、１０ａにバリを形成させることで、寸法形状にバラツキが発生する容器Ｂ２であっても、容器Ｂ２内側面の壁にそって前記嵌合面１ａ、５ａ、３ａ、４ａ、６ａ、７ａ、１０ａが撓み密着させることができるので、インスタントコーヒーなどの粉状や顆粒状の内容物が、動作の過程で前記嵌合面１ａ、５ａ、３ａ、４ａ、６ａ、７ａと容器Ｂ２内側面の隙間からこぼれることがなくなるので、確実に定量できる定量中栓Ａ３を提供することができる。
【００５０】
また、前記定量中栓Ａ３を容器Ｂ２の口部内側面に嵌着させた時に、容器内側面の壁と天板部１の壁と第１仕切板５の壁と第２仕切板３の壁と整流板６の壁と傾斜板７の壁と第２傾斜板１０の壁で囲われた部屋が少なくとも２つ以上形成された定量室８が設置される定量中栓Ａ３付容器となるので、定量するスペースとして容器の内壁を利用するため、１度により多くの計量値を取ることができる定量中栓Ａ３を提供することができる。更に、容器Ｂ２の内壁を利用するため軽量化がはかれ、原料代を削減することができる定量中栓Ａ３を提供することができる。
【００５１】
前記定量中栓Ａ３は、インスタントコーヒーや砂糖などの粉状・顆粒状の内容物が入ったガラスなどでできた容器に簡単に装着及び脱着出来るものであり、前記容器Ｂ２は開口部の口径が容器Ｂ２胴体周より小さいネック形状を有している容器Ｂ２に、特に機能を発揮するものである。
【００５２】
また、整流板６と容器Ｂ２の仕切板Ｂａが接合し２つ以上の貯蔵室Ｂｂを容器Ｂ２内に設置し、定量中栓Ａ３を取り付けた定量中栓付容器であるので、２種類以上の内容物を別々の場所で保存することができるので、風味や臭い等の品質を損なわずに味わうことができる定量中栓付容器を提供することができる。
【００５３】
尚、上記実施形態、実施形態１、実施形態２においては何れも整流板６は1つでしたが、整流板６は２つ以上の複数個設置しても良い。
【図面の簡単な説明】
【００５４】
【図１】本発明の実施形態を示す定量中栓の斜視図１である。
【図２】同実施形態を示す定量中栓の斜視図２である。
【図３】同実施形態を示す定量中栓の側面図である。
【図４】同実施形態を示す定量中栓の上面図である。
【図５】同実施形態を示す定量中栓の底面図である。
【図６】同実施形態を示す定量中栓の正面図である。
【図７】同実施形態を示す定量中栓の背面図である。
【図８】本発明の異なる実施形態１を示す斜視図１である。
【図９】図８に示す実施形態１の斜視図２である。
【図１０】図８に示す実施形態１の側面図である。
【図１１】図８の定量中栓を容器へセットした状態を示す斜視図１である。
【図１２】図８の定量中栓を容器へセットした状態を示す斜視図２である。
【図１３】図１１の動作方法１を示す側面図である。
【図１４】図１１の動作方法２を示す側面図である。
【図１５】図１１の動作方法３を示す側面図である。
【図１６】図１１の動作方法４を示す側面図である。
【図１７】本発明の異なる実施形態２を示す斜視図１である。
【図１８】図１７に示す実施形態２の斜視図２である。
【図１９】図１７に示す実施形態２の側面図である。
【図２０】図１７に示す実施形態２の上面図である。
【図２１】図１７に示す実施形態２の底面図である。
【図２２】図１７に示す実施形態２の正面図である。
【図２３】図１７に示す実施形態２の背面図である。
【図２４】図１７の定量中栓を容器へセットした状態を示す斜視図１である。
【図２５】図１７の定量中栓を容器へセットした状態を示す斜視図２である。
【図２６】本発明の異なる実施形態３を示す斜視図１である。
【図２７】図２６に示す実施形態３の斜視図２である。
【図２８】図２６の動作方法１を示す側面図である。
【図２９】図２６の動作方法１を示す底面図である。
【図３０】容器内に仕切板を設置した斜視図である。
【符号の説明】
【００５５】
１        天板部
１ａ      嵌合面
２        振出し口
３        第２仕切板
３ａ      嵌合面
４        底板
４ａ      嵌合面
５        第１仕切板
５ａ      嵌合面
６        整流板
６ａ      嵌合面
６ｂ      嵌着片
７        傾斜板
７ａ      嵌合面
８        定量室
９        保管室
１０      第２傾斜板
１０ａ    嵌合面
Ａ        定量中栓
Ａ１      定量中栓
Ａ２      定量中栓
Ａ３      定量中栓
Ｂ        容器
Ｂ１      容器
Ｂ２      容器
Ｂａ      仕切板
Ｂｂ      貯蔵室
Ｃ        内容物
【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には天板部に向かって上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置されることを特徴する定量中栓。
【請求項２】
第１仕切板の上端が天板部の中心位置より振出し口側に形成されたことを特徴とする請求項１に記載の定量中栓。
【請求項３】
第２仕切板を角度０度とした場合に上向きに傾斜する角度が３０度から６０度以内となる傾斜板を側面視くの字になるように、第２仕切板の下端に設けたことを特徴とする請求項１または請求項２に記載の定量中栓。
【請求項４】
第１仕切板５の上端側に底板を角度０度とした場合に上向きに傾斜する角度が３０度から６０度以内となる第２傾斜板を側面視くの字になるように、第１仕切板５の上端に設けたことを特徴とする請求項１乃至請求項３のいずれか１項に記載の定量中栓。
【請求項５】
第２仕切板と連結し前記天板部から垂直に下方へ延出した整流板を複数設置したことを特徴とする請求項１乃至請求項４のいずれか１項に記載の定量中栓。
【請求項６】
整流板の嵌合面と天板部の嵌合面と底板部の嵌合面と第１仕切板の嵌合面と第２仕切板の嵌合面が容器口部付近の内側面と密着し嵌着することを特徴とする請求項１乃至請求項５のいずれか１項に記載の定量中栓。
【請求項７】
振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着することを特徴とする請求項１乃至請求項６のいずれか１項に記載の定量中栓。
【請求項８】
定量中栓の整流板と容器の仕切板が接合し２つ以上の貯蔵室を容器内に設置し、請求項１乃至請求項７のいずれか１項に記載の定量中栓を容器の口部内に取り付けたことを特徴とする定量中栓付容器。
【手続補正２】
【補正対象書類名】明細書
【補正対象項目名】全文
【補正方法】変更
【補正の内容】
【発明の詳細な説明】
【技術分野】
【０００１】
本発明は、コーヒーや砂糖などの粉状・顆粒状の内容物が入った容器に装着し一定量づつ振出せる定量中栓及び定量中栓付容器に関するものである。
【背景技術】
【０００２】
粉状のガーリックや胡しょう等の調味料や洗顔用粉石鹸等の粉状物を収納して定量で取り出すことが出来る定量吐出容器として、下部内周面から上部一側方に向かって傾斜する第一傾斜隔壁と、第一傾斜隔壁と反対位置で直交するように第二隔壁を設け、第二隔壁の上端部分に吐出口を設けた粉状物定量吐出容器が特許文献１に記載されている。
【０００３】
塩、こしょう等の粉末の振出容器に装着される可変式の計量栓として、筒部内を第１ガイド板後方側に形成された下面開口の流入室と、第２ガイド板前方側に形成された貯留室と、流入室と貯留室とそれぞれ連通する計量室を有し、計量室の容量を増大、減少させることが可能な粉末計量栓が特許文献２に記載されている。
【０００４】
内容物を一定量ずつ振出しできるようにした蓋装置として、流入口、中間溜まり部、計量室及び振出し口を備えた計量体が特許文献３に記載されている。
【０００５】
【特許文献１】実開昭６２−１４６７５４号公報
【特許文献２】実開昭６３−４６３５７号公報
【特許文献３】特開平９−２７８０５５号公報
【発明の開示】
【発明が解決しようとする課題】
【０００６】
特許文献１、２及び特許文献３のいずれも粉状物や顆粒物を一定量ずつ取り出すことができる定量栓であるが、内容物である粉状物が細かくなると容器を傾けて逆さまにし再び元の位置に戻していく過程で、一度流れ出した粉状物が止まらずに流れ出てしてしまう時があり、その状態で無理やり容器を元の位置に戻してしまうと、振出し口から粉状物が外へ飛び散ってしまい、机や床にまでこぼれてしまう場合が発生していた。また、流れ出しが激しいため内容物の振出す分量には毎回誤差が発生してしまう状態であった。
【０００７】
更に、特許文献２及び特許文献３では、前記定量栓は容器の開口部内に装着するものであるが、開口部の内壁面と前記定量栓の側壁面とで嵌着するように形成しているため、注ぎ出す過程を繰り返す中で、前記内壁面と前記側壁面の間の隙間へ内容物が入り込み不衛生であった。また、定量栓には前記側壁面が形成されるため、内容物を計量する場所の体積は定量栓の側壁内面からになるので、１回分で注ぎだせる内容物の容量が少なくなってしまう傾向であった。更に、特許文献１では、容器内に装着するものではなく容器開口部の上に装着するものであり、定量栓にあわせた容器や定量栓に被せる蓋を製作する必要がありコストアップとなっていた。
【０００８】
本発明の目的は、上記課題を解決し、粉状物が外へ飛び散ることを軽減することが出来る定量中栓及び定量中栓付容器を提供することである。
【課題を解決するための手段】
【０００９】
容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には天板部に向かって上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置された定量中栓。
【００１０】
第１仕切板の上端が天板部の中心位置より振出し口側に形成された定量中栓。
【００１１】
第２仕切板を角度０度とした場合に上向きに傾斜する角度が３０度から６０度以内となる傾斜板を側面視くの字になるように、第２仕切板の下端に設けた定量中栓。  
【００１２】
第１仕切板５の上端側に底板を角度０度とした場合に上向きに傾斜する角度が３０度から６０度以内となる第２傾斜板を側面視くの字になるように、第１仕切板５の上端に設けた定量中栓。
【００１３】
第２仕切板と連結し前記天板部から垂直に下方へ延出した整流板を複数設置した定量中栓。
【００１４】
整流板の嵌合面と天板部の嵌合面と底板部の嵌合面と第１仕切板の嵌合面と第２仕切板の嵌合面が容器口部付近の内側面と密着し嵌着する定量中栓。
【００１５】
振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着する定量中栓。
【００１６】
定量中栓の整流板と容器の仕切板が接合し２つ以上の貯蔵室を容器内に設置し、定量中栓を容器の口部内に取り付けた定量中栓付容器。
【発明の効果】
【００１７】
本発明は、容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には天板部に向かって上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置された定量中栓あるので、容器を傾けて逆さまにし再び元の位置に戻していく過程で、整流板が流れ出す粉状物の流出を制御するとともに、整流板により元の位置に戻す時に発生してしまう振出し口からの粉状物の飛び散りを軽減させることができる定量中栓を提供することができる。
【００１８】
また、第１仕切板の上端が天板部の中心位置より振出し口側な形成された定量中栓であるので、定量室の空間に確実に内容物を移動させるためには、第２仕切板と第１仕切板の奥行きの幅を狭く設定することで、前記定量室の奥まで内容物を確実に入れることができるので、繰り返し行われる計量で、計量値の誤差が少ない定量中栓を提供することができる。
【００１９】
更に、第２仕切板を角度０度とした場合に上向きに傾斜する角度が３０度から６０度以内となる傾斜板を側面視くの字になるように、第２仕切板の下端に設けた定量中栓であるので、容器を傾けて逆さまにし再び元の位置に戻していく過程で、流れ出す粉状物の流出を制御するとともに、元の位置に戻す時に発生してしまう振出し口からの粉状物の飛び散りを軽減させることができる定量中栓を提供することができる。
【００２０】
また、第１仕切板の上端側に底板を角度０度とした場合に上向きに傾斜する角度が３０度から６０度以内となる第２傾斜板を側面視くの字になるように、第１仕切板５の上端に設けた定量中栓であるので、定量室の体積を広くとることができる上、保管室へ確実に内容物を移動させることができるので、繰り返し行われる計量で計量値の誤差が少ない定量中栓を提供することができる。
【００２１】
更に、第２仕切板と連結し前記天板部から垂直に下方へ延出した整流板を複数設置した定量中栓であるので、整流板を1つ設置した場合に比べてより流れ出す粉状物の流出を制御するとともに、元の位置に戻す時に発生してしまう振出し口からの粉状物の飛び散りを整流板を1つ設置した場合に比べてより軽減させることができる定量中栓を提供することができる。
【００２２】
また、整流板の嵌合面と天板部の嵌合面と底板部の嵌合面と第１仕切板の嵌合面と第２仕切板の嵌合面が容器口部付近の内側面と密着し嵌着する定量中栓であるので、容器の内壁を利用することができるため、１度に計量できる計量値をたくさん取れる定量中栓を提供することができる。
【００２３】
更に、振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着する定量中栓であるので、嵌着片により定量中栓と容器の接合部増加し定量中栓をより確実に容器に嵌着させることができると共に、容器の内壁を利用することで定量室の体積が広く取れるので、１度に計量できる計量値をたくさん取れる定量中栓を提供することができる。
【００２４】
また、定量中栓の整流板と容器の仕切板が接合し２つ以上の貯蔵室を容器内に設置し、定量中栓を容器の口部内に取り付けた定量中栓付容器であるので、２種類以上の内容物を別々の場所で保存することができるので、風味や臭い等の品質を損なわずに味わうことができる定量中栓付容器を提供することができる。
【発明を実施するための最良の形態】
【００２５】
図１乃至図７において、本発明は、インスタントコーヒーや砂糖などの粉状・顆粒状の内容物が入ったガラスなどでできた容器の口部内に嵌着する定量中栓Ａである。また、前記容器は開口部の口径が容器胴体周より小さいネック形状を有する容器へ装着する定量中栓Ａである。また、前記容器口部内に嵌着する定量中栓Ａはポリプロピレンやポリエチレンなどの合成樹脂材でできている。更に、前記定量中栓Ａにはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００２６】
また、前記振出し口２の下方には前記天板部１と平行な位置であって、前記整流板６と直角に連結した底板４を設置し、前記底板４には天板部１に向かって、前記整流板６と連結した前記底板４を角度０度とした場合に上向きに傾斜する角度が４０度から９０度以内となる第１仕切板５を備えている。更に、前記整流板６を設置することで、容器を傾けて逆さまにし再び元の位置に戻していく過程で、前記整流板６が流れ出す粉状・顆粒状の内容物の流出を制御するとともに、元の位置に戻す時に発生してしまう振出し口２からの粉状・顆粒状の内容物の飛び散りを軽減させることができる定量中栓Ａを提供することができる。
【００２７】
また、前記定量中栓Ａをインスタントコーヒーなどの内容物が入ったネックを有するガラス瓶の容器の口部内側面に嵌着させた時に、容器の内側面と接する面の天板部１の嵌合面１ａと容器の内側面と接する面の第１仕切板５の嵌合面５ａと容器の内側面と接する面の第２仕切板３の嵌合面３ａと容器の内側面と接する面の底板４の嵌合面４ａと容器の内側面と接する面の整流板６の嵌合面６ａが容器内側面と密着し嵌着する。形状寸法の精度が低いガラス瓶などについては、内面寸法にバラツキが生じてしまうので、前記嵌合面１ａ、３ａ、４ａ、５ａ、６ａを容器内面周より薄肉で大きめに形成したり、わざと前記嵌合面１ａ、３ａ、４ａ、５ａ、６ａにバリを形成させることで、寸法形状にバラツキが発生する容器であっても、容器内側面の壁にそって前記嵌合面１ａ、３ａ、４ａ、５ａ、６ａが撓み密着させることができるので、インスタントコーヒーなどの粉状や顆粒状の内容物が、動作の過程で前記嵌合面１ａ、３ａ、４ａ、５ａ、６ａと容器内側面の隙間からこぼれることがなくなるので、確実に定量できる定量中栓Ａを提供することができる。
【００２８】
更に、前記定量中栓Ａを容器の口部内側面に嵌着させた時に、容器内側面の壁と天板部１の壁と第１仕切板５の壁と第２仕切板３の壁と整流板６の壁で囲われた部屋が少なくとも２つ以上形成された定量室８が設置される定量中栓Ａ付容器となるので、定量するスペースとして容器の内壁を利用するため、１度により多くの計量値を取ることができる定量中栓Ａを提供することができる。また、容器の内壁を利用するため軽量化がはかれ、原料代を削減することができる定量中栓Ａを提供することができる。
【００２９】
前記定量中栓Ａは、インスタントコーヒーや砂糖などの粉状・顆粒状の内容物が入ったガラスなどでできた容器に簡単に装着及び脱着出来るものであり、前記容器は開口部の口径が容器胴体周より小さいネック形状を有している容器に、特に機能を発揮するものである。
【００３０】
更に、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａを提供することができる。
【００３１】
次に本発明の異なる実施形態１である定量中栓Ａ１を図８乃至図１２に示す。インスタントコーヒーや砂糖などの粉状・顆粒状の内容物が入ったガラスなどでできた容器Ｂの口部内に嵌着する定量中栓Ａ１である。また、前記容器Ｂは開口部の口径が容器Ｂ胴体周より小さいネックを有する容器Ｂに装着する定量中栓Ａ１である。更に、前記容器Ｂ口部内に嵌着する定量中栓Ａ１はポリプロピレンやポリエチレンなどの合成樹脂材でできている。また、前記定量中栓Ａ１にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００３２】
また、前記振出し口２の下方には前記天板部１と平行な位置であって、前記整流板６と直角に連結した底板４を設置し、前記底板４には天板部１に向かって前記整流板６と連結した、前記底板４を角度０度とした場合に上向きに傾斜する角度が４０度から９０度以内となる第１仕切板５と、前記第２仕切板３の下端側から前記第２仕切板３を角度０度
前記第２仕切板３を角度０度とした場合に上向きに傾斜する角度が３０度から６０度以内となる傾斜板７を設け、前記第２仕切板３が側面視くの字になるように前記傾斜板７を設けた定量中栓Ａ１である。更に、前記傾斜板７を設けることで、容器Ｂを傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ１を提供することができる。
【００３３】
また、前記定量中栓Ａ１をインスタントコーヒーなどの内容物が入ったネックを有するガラス瓶の容器Ｂの口部内側面に嵌着させた時に、容器Ｂの内側面と接する面の天板部１の嵌合面１ａと容器Ｂの内側面と接する面の第１仕切板５の嵌合面５ａと容器Ｂの内側面と接する面の第２仕切板３の嵌合面３ａと容器の内側面と接する面の底板４の嵌合面４ａと容器Ｂの内側面と接する面の整流板６の嵌合面６ａと容器Ｂの内側面と接する面の傾斜板７の嵌合面７ａが容器Ｂ内側面と密着し嵌着する。
【００３４】
形状寸法の精度が低いガラス瓶などについては、内面寸法にバラツキが生じてしまうので、前記嵌合面１ａ、３ａ、４ａ、５ａ、６ａ、７ａを容器Ｂ内面周より薄肉で大きめに形成したり、わざと前記嵌合面１ａ、３ａ、４ａ、５ａ、６ａ、７ａにバリを形成させることで、寸法形状にバラツキが発生する容器Ｂであっても、容器Ｂ内側面の壁にそって前記嵌合面１ａ、３ａ、４ａ、５ａ、６ａ、７ａが撓み密着させることができるので、インスタントコーヒーなどの粉状物や顆粒物の内容物が、動作の過程で前記嵌合面１ａ、３ａ、４ａ、５ａ、６ａ、７ａと容器Ｂ内側面の隙間からこぼれることがなくなるので、確実に定量できる定量中栓Ａ１を提供することができる。
【００３５】
また、前記定量中栓Ａ１を容器Ｂの口部内側面に嵌着させた時に、容器Ｂ内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ１付容器Ｂとなるので、定量するスペースとして容器Ｂの内壁を利用するため、１度により多くの計量値を取ることができる定量中栓Ａ１を提供することができる。更に、容器Ｂの内壁を利用するため軽量化がはかれ、原料代を削減することができる定量中栓Ａ１を提供することができる。
【００３６】
前記定量中栓Ａ１は、インスタントコーヒーや砂糖などの粉状・顆粒状の内容物が入ったガラスなどでできた容器Ｂに簡単に装着及び脱着出来るものであり、前記容器Ｂは開口部の口径が容器Ｂ胴体周より小さいネック形状を有している容器Ｂに、特に機能を発揮するものである。
【００３７】
また、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａ１を定量することができる。
【００３８】
図１３乃至図１６において、内容物Ｃを外へ流出させるための動作方法を示す。図１３に示す状態から、図１４に示すように容器Ｂを逆さまに傾けると、容器Ｂ内の内容物Ｃは定量室８に溜まる。図１５から図１６に示すように容器Ｂを、元に位置に戻していくと内容物Ｃは前記定量室８から移動し保管室９へ流れ落ち、図１３に示すように容器Ｂが起立した状態になると、前記内容物Ｃは前記保管室９で保管された状態になる。再び、図１４乃至図１６に示す動作を繰り返すことで、前記保管室９に保管されていた内容物Ｃが外へ流出し、前記定量室８には新たな内容物Ｃが溜められることになる。内容物Ｃが細かい粒子になればなるほど、容器Ｂを傾けていった際に雪崩のような現状が発生してしまうため、前記整流板６を設置することで、前記整流板６が壁となり内容物Ｃである粒子の流れ出しを制御させる効果を有するので、勢い良く流れ出すこともなくなり、内容物Ｃである粒子が振出し口２から勢いあまって飛び散る事を緩和させる効果を有する。
【００３９】
また、前記傾斜板７を設けることで、前記定量室８の広さを多く確保できた状態で定量できる上、第２仕切板３の下端に側面視くの字となる傾斜板７を形成し、第１仕切板５と前記傾斜板７の隙間となる通路の高さを粒子の大きさによって飛び散らない高さに設定することで、前記定量室８から前記保管室９へ流れ込む内容物の粒子の流れ出しを制御させる効果を有するので、勢い良く流れ出すこともなくなり、内容物である粒子が振出し口２から勢いあまって飛び散る事を防ぐ効果を有する。
【００４０】
次に本発明の異なる実施形態２を示す定量中栓Ａ２を図１７乃至図２５に示す。インスタントコーヒーや砂糖などの粉状・顆粒状の内容物が入ったガラスなどでできた容器Ｂ１の口部内に嵌着する定量中栓Ａ２である。また、前記容器Ｂ１は開口部の口径が容器Ｂ１胴体周より小さいネックを有する容器Ｂ１に装着する定量中栓Ａ２である。更に、前記容器Ｂ１口部内に嵌着する定量中栓Ａ２はポリプロピレンやポリエチレンなどの合成樹脂材でできている。更に、前記定量中栓Ａ２にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００４１】
また、前記振出し口２の下方には前記天板部１と平行な位置であって、前記整流板６と直角に連結した底板４を設置し、前記底板４には天板部１に向かって、前記整流板６と連結した、前記底板４を角度０度とした場合に上向きに傾斜する角度が４０度から９０度以内となる第１仕切板５と、前記第２仕切板３の下端側から前記第２仕切板３を角度０度とした場合に上向きに傾斜する角度が３０度から６０度以内となる傾斜板７を設け、前記第２仕切板３が側面視くの字になるように前記傾斜板７設けた定量中栓Ａ２である。更に、前記傾斜板７を設置することで、容器Ｂ１を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ２を提供することができる。
【００４２】
また、前記定量中栓Ａ２をインスタントコーヒーなどの内容物が入ったネックを有するガラス瓶の容器Ｂ１の口部内側面に嵌着させた時に、振出し口２と反対位置の天板部１から整流板６と直角になるように下方へ延出した嵌着片６ａの容器Ｂ１の内側面と接する面の嵌着片６ｂの嵌合面６ａと、容器Ｂ１の内側面と接する面の天板部１の嵌合面１ａと、容器Ｂ１の内側面と接する面の第１仕切板５の嵌合面５ａと、容器Ｂ１の内側面と接する面の第２仕切板３の嵌合面３ａと、容器Ｂ１の内側面と接する面の整流板６の嵌合面６ａと、容器Ｂ１の内側面と接する面の傾斜板７の嵌合面７ａが容器Ｂ１内側面と密着し嵌着する。
【００４３】
形状寸法の精度が低いガラス瓶などについては、内面寸法にバラツキが生じてしまうので、前記嵌合面１ａ、３ａ、４ａ、５ａ、６ａ、７ａを容器Ｂ１内面周より薄肉で大きめに形成したり、わざと前記嵌合面１ａ、３ａ、４ａ、５ａ、６ａ、７ａにバリを形成させることで、寸法形状にバラツキが発生する容器Ｂ１であっても、容器Ｂ１内側面の壁にそって前記嵌合面１ａ、３ａ、４ａ、５ａ、６ａ、７ａが撓み密着させることができるので、インスタントコーヒーなどの粉状や顆粒状の内容物が、動作の過程で前記嵌合面１ａ、３ａ、４ａ、５ａ、６ａ、７ａと容器Ｂ１内側面の隙間からこぼれることがなくなるので、確実に定量できる定量中栓Ａ２を提供することができる。
【００４４】
また、前記定量中栓Ａ２を容器Ｂ１の口部内側面に嵌着させた時に、容器Ｂ１内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ２付容器Ｂ１となるので、定量するスペースとして容器Ｂ１の内壁を利用するため、１度により多くの計量値を取ることができる定量中栓Ａ２を提供することができる。更に、容器Ｂ１の内壁を利用するため軽量化がはかれ、原料代を削減することができる定量中栓Ａ２を提供することができる。
【００４５】
前記定量中栓Ａ２は、インスタントコーヒーや砂糖などの粉状・顆粒状の内容物が入ったガラスなどでできた容器Ｂ１に簡単に装着及び脱着出来るものであり、前記容器Ｂ１は開口部の口径が容器Ｂ１胴体周より小さいネック形状を有している容器Ｂ１に、特に機能を発揮するものである。
【００４６】
次に本発明の異なる実施形態３を示す定量中栓Ａ３を図２６乃至図２９に示す。インスタントコーヒーや砂糖などの粉状・顆粒状の内容物が入ったガラスなどでできた容器Ｂ２の口部内に嵌着する定量中栓Ａ３である。また、前記容器Ｂ２は開口部の口径が容器Ｂ２胴体周より小さいネックを有する容器Ｂ２に装着する定量中栓Ａ３である。更に、前記容器Ｂ２口部内に嵌着する定量中栓Ａ３はポリプロピレンやポリエチレンなどの合成樹脂材でできている。更に、前記定量中栓Ａ３にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００４７】
また、前記振出し口２の下方には前記天板部１と平行な位置であって、前記整流板６と直角に連結した底板４を設置し、前記底板４には天板部１に向かって、前記整流板６と連結した、前記底板４を角度０度とした場合に上向きに傾斜する角度が４０度から９０度以内となる第１仕切板５と、前記第１仕切板５の上端側に前記底板４を角度０度とした場合に上向きに傾斜する角度が３０度から６０度以内の第２傾斜板１０と、前記第２仕切板３の下端側から前記第２仕切板３を角度０度とした場合に上向きに傾斜する角度が３０度から６０度以内となる傾斜板７を設け、前記第２仕切板３が側面視くの字になる前記傾斜板７を設けた定量中栓Ａ３である。更に、前記傾斜板７を設置することで、容器を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ３を提供することができる。
【００４８】
また、前記定量中栓Ａ３をインスタントコーヒーなどの内容物が入ったネックを有するガラス瓶の容器の口部内側面に嵌着させた時に、振出し口２と反対位置の天板部１から整流板６と直角になるように下方へ延出した嵌着片６ａの容器Ｂ２の内側面と接する面の嵌着片６ｂの嵌合面６ａと、容器の内側面と接する面の天板部１の嵌合面１ａと、容器の内側面と接する面の第１仕切板５の嵌合面５ａと、容器の内側面と接する面の第２仕切板３の嵌合面３ａと、容器の内側面と接する面の底板４の嵌合面４ａと、容器の内側面と接する面の整流板６の嵌合面６ａと、容器Ｂ２の内側面と接する面の傾斜板７の嵌合面７ａと容器の内側面と接する面の第２傾斜板の嵌合面１０ａが容器Ｂ２内側面と密着し嵌着する。
【００４９】
形状寸法の精度が低いガラス瓶などについては、内面寸法にバラツキが生じてしまうので、前記嵌合面１ａ、５ａ、３ａ、４ａ、６ａ、７ａ、１０ａを容器内面周より薄肉で大きめに形成したり、わざと前記嵌合面１ａ、５ａ、３ａ、４ａ、６ａ、７ａ、１０ａにバリを形成させることで、寸法形状にバラツキが発生する容器Ｂ２であっても、容器Ｂ２内側面の壁にそって前記嵌合面１ａ、５ａ、３ａ、４ａ、６ａ、７ａ、１０ａが撓み密着させることができるので、インスタントコーヒーなどの粉状や顆粒状の内容物が、動作の過程で前記嵌合面１ａ、５ａ、３ａ、４ａ、６ａ、７ａと容器Ｂ２内側面の隙間からこぼれることがなくなるので、確実に定量できる定量中栓Ａ３を提供することができる。
【００５０】
また、前記定量中栓Ａ３を容器Ｂ２の口部内側面に嵌着させた時に、容器内側面の壁と天板部１の壁と第１仕切板５の壁と第２仕切板３の壁と整流板６の壁と傾斜板７の壁と第２傾斜板１０の壁で囲われた部屋が少なくとも２つ以上形成された定量室８が設置される定量中栓Ａ３付容器となるので、定量するスペースとして容器の内壁を利用するため、１度により多くの計量値を取ることができる定量中栓Ａ３を提供することができる。更に、容器Ｂ２の内壁を利用するため軽量化がはかれ、原料代を削減することができる定量中栓Ａ３を提供することができる。
【００５１】
前記定量中栓Ａ３は、インスタントコーヒーや砂糖などの粉状・顆粒状の内容物が入ったガラスなどでできた容器に簡単に装着及び脱着出来るものであり、前記容器Ｂ２は開口部の口径が容器Ｂ２胴体周より小さいネック形状を有している容器Ｂ２に、特に機能を発揮するものである。
【００５２】
また、整流板６と容器Ｂ２の仕切板Ｂａが接合し２つ以上の貯蔵室Ｂｂを容器Ｂ２内に設置し、定量中栓Ａ３を取り付けた定量中栓付容器であるので、２種類以上の内容物を別々の場所で保存することができるので、風味や臭い等の品質を損なわずに味わうことができる定量中栓付容器を提供することができる。
【００５３】
尚、上記実施形態、実施形態１、実施形態２においては何れも整流板６は1つでしたが、整流板６は２つ以上の複数個設置しても良い。
【図面の簡単な説明】
【００５４】
【図１】本発明の実施形態を示す定量中栓の斜視図１である。
【図２】同実施形態を示す定量中栓の斜視図２である。
【図３】同実施形態を示す定量中栓の側面図である。
【図４】同実施形態を示す定量中栓の上面図である。
【図５】同実施形態を示す定量中栓の底面図である。
【図６】同実施形態を示す定量中栓の正面図である。
【図７】同実施形態を示す定量中栓の背面図である。
【図８】本発明の異なる実施形態１を示す斜視図１である。
【図９】図８に示す実施形態１の斜視図２である。
【図１０】図８に示す実施形態１の側面図である。
【図１１】図８の定量中栓を容器へセットした状態を示す斜視図１である。
【図１２】図８の定量中栓を容器へセットした状態を示す斜視図２である。
【図１３】図１１の動作方法１を示す側面図である。
【図１４】図１１の動作方法２を示す側面図である。
【図１５】図１１の動作方法３を示す側面図である。
【図１６】図１１の動作方法４を示す側面図である。
【図１７】本発明の異なる実施形態２を示す斜視図１である。
【図１８】図１７に示す実施形態２の斜視図２である。
【図１９】図１７に示す実施形態２の側面図である。
【図２０】図１７に示す実施形態２の上面図である。
【図２１】図１７に示す実施形態２の底面図である。
【図２２】図１７に示す実施形態２の正面図である。
【図２３】図１７に示す実施形態２の背面図である。
【図２４】図１７の定量中栓を容器へセットした状態を示す斜視図１である。
【図２５】図１７の定量中栓を容器へセットした状態を示す斜視図２である。
【図２６】本発明の異なる実施形態３を示す斜視図１である。
【図２７】図２６に示す実施形態３の斜視図２である。
【図２８】図２６の動作方法１を示す側面図である。
【図２９】図２６の動作方法１を示す底面図である。
【図３０】容器内に仕切板を設置した斜視図である。
【符号の説明】
【００５５】
１        天板部
１ａ      嵌合面
２        振出し口
３        第２仕切板
３ａ      嵌合面
４        底板
４ａ      嵌合面
５        第１仕切板
５ａ      嵌合面
６        整流板
６ａ      嵌合面
６ｂ      嵌着片
７        傾斜板
７ａ      嵌合面
８        定量室
９        保管室
１０      第２傾斜板
１０ａ    嵌合面
Ａ        定量中栓
Ａ１      定量中栓
Ａ２      定量中栓
Ａ３      定量中栓
Ｂ        容器
Ｂ１      容器
Ｂ２      容器
Ｂａ      仕切板
Ｂｂ      貯蔵室
Ｃ        内容物
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には前記振出し口の反対方向に天板部に向かって上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置されることを特徴する定量中栓。
【請求項２】
第１仕切板の上端が天板部の中心位置より振出し口側に形成されたことを特徴とする請求項１に記載の定量中栓。
【請求項３】
前記第２仕切板を角度０度とした場合に振出し口の反対方向に傾斜する角度が３０度から６０度以内となる傾斜板を振出し口側からみて右側の側面視がくの字になるように、第２仕切板の下端に設けたことを特徴とする請求項１または請求項２に記載の定量中栓。
【請求項４】
第２仕切板と連結し前記天板部から垂直に下方へ延出した整流板を複数設置したことを特徴とする請求項１乃至請求項３のいずれか１項に記載の定量中栓。
【請求項５】
整流板の嵌合面と天板部の嵌合面と底板部の嵌合面と第１仕切板の嵌合面と第２仕切板の嵌合面が容器口部付近の内側面と密着し嵌着することを特徴とする請求項１乃至請求項４のいずれか１項に記載の定量中栓。
【請求項６】
振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着することを特徴とする請求項１乃至請求項５のいずれか１項に記載の定量中栓。
【請求項７】
定量中栓の整流板と容器の仕切板が接合し２つ以上の貯蔵室を容器内に設置し、請求項１乃至請求項６のいずれか１項に記載の定量中栓を容器の口部内に取り付けたことを特徴とする定量中栓付容器。
【手続補正２】
【補正対象書類名】明細書
【補正対象項目名】全文
【補正方法】変更
【補正の内容】
【発明の詳細な説明】
【技術分野】
【０００１】
本発明は、コーヒーや砂糖などの粉状・顆粒状の内容物が入った容器に装着し一定量づつ振出せる定量中栓及び定量中栓付容器に関するものである。
【背景技術】
【０００２】
粉状のガーリックや胡しょう等の調味料や洗顔用粉石鹸等の粉状物を収納して定量で取り出すことが出来る定量吐出容器として、下部内周面から上部一側方に向かって傾斜する第一傾斜隔壁と、第一傾斜隔壁と反対位置で直交するように第二隔壁を設け、第二隔壁の上端部分に吐出口を設けた粉状物定量吐出容器が特許文献１に記載されている。
【０００３】
塩、こしょう等の粉末の振出容器に装着される可変式の計量栓として、筒部内を第１ガイド板後方側に形成された下面開口の流入室と、第２ガイド板前方側に形成された貯留室と、流入室と貯留室とそれぞれ連通する計量室を有し、計量室の容量を増大、減少させることが可能な粉末計量栓が特許文献２に記載されている。
【０００４】
内容物を一定量ずつ振出しできるようにした蓋装置として、流入口、中間溜まり部、計量室及び振出し口を備えた計量体が特許文献３に記載されている。
【０００５】
【特許文献１】実開昭６２−１４６７５４号公報
【特許文献２】実開昭６３−４６３５７号公報
【特許文献３】特開平９−２７８０５５号公報
【発明の開示】
【発明が解決しようとする課題】
【０００６】
特許文献１、２及び特許文献３のいずれも粉状物や顆粒物を一定量ずつ取り出すことができる定量栓であるが、内容物である粉状物が細かくなると容器を傾けて逆さまにし再び元の位置に戻していく過程で、一度流れ出した粉状物が止まらずに流れ出てしてしまう時があり、その状態で無理やり容器を元の位置に戻してしまうと、振出し口から粉状物が外へ飛び散ってしまい、机や床にまでこぼれてしまう場合が発生していた。また、流れ出しが激しいため内容物の振出す分量には毎回誤差が発生してしまう状態であった。
【０００７】
更に、特許文献２及び特許文献３では、前記定量栓は容器の開口部内に装着するものであるが、開口部の内壁面と前記定量栓の側壁面とで嵌着するように形成しているため、注ぎ出す過程を繰り返す中で、前記内壁面と前記側壁面の間の隙間へ内容物が入り込み不衛生であった。また、定量栓には前記側壁面が形成されるため、内容物を計量する場所の体積は定量栓の側壁内面からになるので、１回分で注ぎだせる内容物の容量が少なくなってしまう傾向であった。更に、特許文献１では、容器内に装着するものではなく容器開口部の上に装着するものであり、定量栓にあわせた容器や定量栓に被せる蓋を製作する必要がありコストアップとなっていた。
【０００８】
本発明の目的は、上記課題を解決し、粉状物が外へ飛び散ることを軽減することが出来る定量中栓及び定量中栓付容器を提供することである。
【課題を解決するための手段】
【０００９】
容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には前記振出し口の反対方向に天板部に向かって上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置された定量中栓。
【００１０】
第１仕切板の上端が天板部の中心位置より振出し口側に形成された定量中栓。
【００１１】
前記第２仕切板を角度０度とした場合に振出し口の反対方向に傾斜する角度が３０度から６０度以内となる傾斜板を振出し口側からみて右側の側面視がくの字になるように、第２仕切板の下端に設けた定量中栓。
【００１２】
第２仕切板と連結し前記天板部から垂直に下方へ延出した整流板を複数設置した定量中栓。
【００１３】
整流板の嵌合面と天板部の嵌合面と底板部の嵌合面と第１仕切板の嵌合面と第２仕切板の嵌合面が容器口部付近の内側面と密着し嵌着する定量中栓。
【００１４】
振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着する定量中栓。
【００１５】
定量中栓の整流板と容器の仕切板が接合し２つ以上の貯蔵室を容器内に設置し、定量中栓を容器の口部内に取り付けた定量中栓付容器。
【発明の効果】
【００１６】
本発明は、容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には前記振出し口の反対方向に天板部に向かって上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置された定量中栓あるので、容器を傾けて逆さまにし再び元の位置に戻していく過程で、整流板が流れ出す粉状物の流出を制御するとともに、整流板により元の位置に戻す時に発生してしまう振出し口からの粉状物の飛び散りを軽減させることができる定量中栓を提供することができる。
【００１７】
また、第１仕切板の上端が天板部の中心位置より振出し口側な形成された定量中栓であるので、定量室の空間に確実に内容物を移動させるためには、第２仕切板と第１仕切板の奥行きの幅を狭く設定することで、前記定量室の奥まで内容物を確実に入れることができるので、繰り返し行われる計量で、計量値の誤差が少ない定量中栓を提供することができる。
【００１８】
更に、前記第２仕切板を角度０度とした場合に振出し口の反対方向に傾斜する角度が３０度から６０度以内となる傾斜板を振出し口側からみて右側の側面視がくの字になるように、第２仕切板の下端に設けた定量中栓であるので、容器を傾けて逆さまにし再び元の位置に戻していく過程で、流れ出す粉状物の流出を制御するとともに、元の位置に戻す時に発生してしまう振出し口からの粉状物の飛び散りを軽減させることができる定量中栓を提供することができる。
【００１９】
更に、第２仕切板と連結し前記天板部から垂直に下方へ延出した整流板を複数設置した定量中栓であるので、整流板を1つ設置した場合に比べてより流れ出す粉状物の流出を制御するとともに、元の位置に戻す時に発生してしまう振出し口からの粉状物の飛び散りを整流板を1つ設置した場合に比べてより軽減させることができる定量中栓を提供することができる。
【００２０】
また、整流板の嵌合面と天板部の嵌合面と底板部の嵌合面と第１仕切板の嵌合面と第２仕切板の嵌合面が容器口部付近の内側面と密着し嵌着する定量中栓であるので、容器の内壁を利用することができるため、１度に計量できる計量値をたくさん取れる定量中栓を提供することができる。
【００２１】
更に、振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着する定量中栓であるので、嵌着片により定量中栓と容器の接合部増加し定量中栓をより確実に容器に嵌着させることができると共に、容器の内壁を利用することで定量室の体積が広く取れるので、１度に計量できる計量値をたくさん取れる定量中栓を提供することができる。
【００２２】
また、定量中栓の整流板と容器の仕切板が接合し２つ以上の貯蔵室を容器内に設置し、定量中栓を容器の口部内に取り付けた定量中栓付容器であるので、２種類以上の内容物を別々の場所で保存することができるので、風味や臭い等の品質を損なわずに味わうことができる定量中栓付容器を提供することができる。
【発明を実施するための最良の形態】
【００２３】
図１乃至図７において、本発明は、インスタントコーヒーや砂糖などの粉状・顆粒状の内容物が入ったガラスなどでできた容器の口部内に嵌着する定量中栓Ａである。また、前記容器は開口部の口径が容器胴体周より小さいネック形状を有する容器へ装着する定量中栓Ａである。また、前記容器口部内に嵌着する定量中栓Ａはポリプロピレンやポリエチレンなどの合成樹脂材でできている。更に、前記定量中栓Ａにはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００２４】
また、前記振出し口２の下方には前記天板部１と平行な位置であって、前記整流板６と直角に連結した底板４を設置し、前記底板４には天板部１に向かって、前記整流板６と連結した前記底板４を角度０度とした場合に前記振出し口２の反対方向に上向きに傾斜する角度が４０度から９０度未満となる第１仕切板５を備えている。更に、前記整流板６を設置することで、容器を傾けて逆さまにし再び元の位置に戻していく過程で、前記整流板６が流れ出す粉状・顆粒状の内容物の流出を制御するとともに、元の位置に戻す時に発生してしまう振出し口２からの粉状・顆粒状の内容物の飛び散りを軽減させることができる定量中栓Ａを提供することができる。
【００２５】
また、前記定量中栓Ａをインスタントコーヒーなどの内容物が入ったネックを有するガラス瓶の容器の口部内側面に嵌着させた時に、容器の内側面と接する面の天板部１の嵌合面１ａと容器の内側面と接する面の第１仕切板５の嵌合面５ａと容器の内側面と接する面の第２仕切板３の嵌合面３ａと容器の内側面と接する面の底板４の嵌合面４ａと容器の内側面と接する面の整流板６の嵌合面６ａが容器内側面と密着し嵌着する。形状寸法の精度が低いガラス瓶などについては、内面寸法にバラツキが生じてしまうので、前記嵌合面１ａ、３ａ、４ａ、５ａ、６ａを容器内面周より薄肉で大きめに形成したり、わざと前記嵌合面１ａ、３ａ、４ａ、５ａ、６ａにバリを形成させることで、寸法形状にバラツキが発生する容器であっても、容器内側面の壁にそって前記嵌合面１ａ、３ａ、４ａ、５ａ、６ａが撓み密着させることができるので、インスタントコーヒーなどの粉状や顆粒状の内容物が、動作の過程で前記嵌合面１ａ、３ａ、４ａ、５ａ、６ａと容器内側面の隙間からこぼれることがなくなるので、確実に定量できる定量中栓Ａを提供することができる。
【００２６】
更に、前記定量中栓Ａを容器の口部内側面に嵌着させた時に、容器内側面の壁と天板部１の壁と第１仕切板５の壁と第２仕切板３の壁と整流板６の壁で囲われた部屋が少なくとも２つ以上形成された定量室８が設置される定量中栓Ａ付容器となるので、定量するスペースとして容器の内壁を利用するため、１度により多くの計量値を取ることができる定量中栓Ａを提供することができる。また、容器の内壁を利用するため軽量化がはかれ、原料代を削減することができる定量中栓Ａを提供することができる。
【００２７】
前記定量中栓Ａは、インスタントコーヒーや砂糖などの粉状・顆粒状の内容物が入ったガラスなどでできた容器に簡単に装着及び脱着出来るものであり、前記容器は開口部の口径が容器胴体周より小さいネック形状を有している容器に、特に機能を発揮するものである。
【００２８】
更に、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａを提供することができる。
【００２９】
次に本発明の異なる実施形態１である定量中栓Ａ１を図８乃至図１２に示す。インスタントコーヒーや砂糖などの粉状・顆粒状の内容物が入ったガラスなどでできた容器Ｂの口部内に嵌着する定量中栓Ａ１である。また、前記容器Ｂは開口部の口径が容器Ｂ胴体周より小さいネックを有する容器Ｂに装着する定量中栓Ａ１である。更に、前記容器Ｂ口部内に嵌着する定量中栓Ａ１はポリプロピレンやポリエチレンなどの合成樹脂材でできている。また、前記定量中栓Ａ１にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００３０】
また、前記振出し口２の下方には前記天板部１と平行な位置であって、前記整流板６と直角に連結した底板４を設置し、前記底板４には天板部１に向かって前記整流板６と連結した、前記底板４を角度０度とした場合に前記振出し口２の反対方向に上向きに傾斜する角度が４０度から９０度未満となる第１仕切板５と、前記第２仕切板３の下端側から前記第２仕切板３を角度０度とした場合に振出し口２の反対方向に傾斜する角度が３０度から６０度以内となる傾斜板７を設け、前記第２仕切板３が振出し口２側からみて右側の側面視がくの字になるように前記傾斜板７を設けた定量中栓Ａ１である。更に、前記傾斜板７を設けることで、容器Ｂを傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ１を提供することができる。    
【００３１】
また、前記定量中栓Ａ１をインスタントコーヒーなどの内容物が入ったネックを有するガラス瓶の容器Ｂの口部内側面に嵌着させた時に、容器Ｂの内側面と接する面の天板部１の嵌合面１ａと容器Ｂの内側面と接する面の第１仕切板５の嵌合面５ａと容器Ｂの内側面と接する面の第２仕切板３の嵌合面３ａと容器の内側面と接する面の底板４の嵌合面４ａと容器Ｂの内側面と接する面の整流板６の嵌合面６ａと容器Ｂの内側面と接する面の傾斜板７の嵌合面７ａが容器Ｂ内側面と密着し嵌着する。
【００３２】
形状寸法の精度が低いガラス瓶などについては、内面寸法にバラツキが生じてしまうので、前記嵌合面１ａ、３ａ、４ａ、５ａ、６ａ、７ａを容器Ｂ内面周より薄肉で大きめに形成したり、わざと前記嵌合面１ａ、３ａ、４ａ、５ａ、６ａ、７ａにバリを形成させることで、寸法形状にバラツキが発生する容器Ｂであっても、容器Ｂ内側面の壁にそって前記嵌合面１ａ、３ａ、４ａ、５ａ、６ａ、７ａが撓み密着させることができるので、インスタントコーヒーなどの粉状物や顆粒物の内容物が、動作の過程で前記嵌合面１ａ、３ａ、４ａ、５ａ、６ａ、７ａと容器Ｂ内側面の隙間からこぼれることがなくなるので、確実に定量できる定量中栓Ａ１を提供することができる。
【００３３】
また、前記定量中栓Ａ１を容器Ｂの口部内側面に嵌着させた時に、容器Ｂ内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ１付容器Ｂとなるので、定量するスペースとして容器Ｂの内壁を利用するため、１度により多くの計量値を取ることができる定量中栓Ａ１を提供することができる。更に、容器Ｂの内壁を利用するため軽量化がはかれ、原料代を削減することができる定量中栓Ａ１を提供することができる。
【００３４】
前記定量中栓Ａ１は、インスタントコーヒーや砂糖などの粉状・顆粒状の内容物が入ったガラスなどでできた容器Ｂに簡単に装着及び脱着出来るものであり、前記容器Ｂは開口部の口径が容器Ｂ胴体周より小さいネック形状を有している容器Ｂに、特に機能を発揮するものである。
【００３５】
また、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａ１を定量することができる。
【００３６】
図１３乃至図１６において、内容物Ｃを外へ流出させるための動作方法を示す。図１３に示す状態から、図１４に示すように容器Ｂを逆さまに傾けると、容器Ｂ内の内容物Ｃは定量室８に溜まる。図１５から図１６に示すように容器Ｂを、元に位置に戻していくと内容物Ｃは前記定量室８から移動し保管室９へ流れ落ち、図１３に示すように容器Ｂが起立した状態になると、前記内容物Ｃは前記保管室９で保管された状態になる。再び、図１４乃至図１６に示す動作を繰り返すことで、前記保管室９に保管されていた内容物Ｃが外へ流出し、前記定量室８には新たな内容物Ｃが溜められることになる。内容物Ｃが細かい粒子になればなるほど、容器Ｂを傾けていった際に雪崩のような現状が発生してしまうため、前記整流板６を設置することで、前記整流板６が壁となり内容物Ｃである粒子の流れ出しを制御させる効果を有するので、勢い良く流れ出すこともなくなり、内容物Ｃである粒子が振出し口２から勢いあまって飛び散る事を緩和させる効果を有する。
【００３７】
また、前記傾斜板７を設けることで、前記定量室８の広さを多く確保できた状態で定量できる上、第２仕切板３の下端に振出し口２側からみて右側の側面視がくの字となる傾斜板７を形成し、第１仕切板５と前記傾斜板７の隙間となる通路の高さを粒子の大きさによって飛び散らない高さに設定することで、前記定量室８から前記保管室９へ流れ込む内容物の粒子の流れ出しを制御させる効果を有するので、勢い良く流れ出すこともなくなり、内容物である粒子が振出し口２から勢いあまって飛び散る事を防ぐ効果を有する。
【００３８】
次に本発明の異なる実施形態２を示す定量中栓Ａ２を図１７乃至図２５に示す。インスタントコーヒーや砂糖などの粉状・顆粒状の内容物が入ったガラスなどでできた容器Ｂ１の口部内に嵌着する定量中栓Ａ２である。また、前記容器Ｂ１は開口部の口径が容器Ｂ１胴体周より小さいネックを有する容器Ｂ１に装着する定量中栓Ａ２である。更に、前記容器Ｂ１口部内に嵌着する定量中栓Ａ２はポリプロピレンやポリエチレンなどの合成樹脂材でできている。更に、前記定量中栓Ａ２にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００３９】
また、前記振出し口２の下方には前記天板部１と平行な位置であって、前記整流板６と直角に連結した底板４を設置し、前記底板４には天板部１に向かって前記整流板６と連結した、前記底板４を角度０度とした場合に前記振出し口２の反対方向に上向きに傾斜する角度が４０度から９０度未満となる第１仕切板５と、前記第２仕切板３の下端側から前記第２仕切板３を角度０度とした場合に振出し口２の反対方向に傾斜する角度が３０度から６０度以内となる傾斜板７を設け、前記第２仕切板３が振出し口２側からみて右側の側面視がくの字になるように前記傾斜板７設けた定量中栓Ａ２である。更に、前記傾斜板７を設置することで、容器Ｂ１を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ２を提供することができる。
【００４０】
また、前記定量中栓Ａ２をインスタントコーヒーなどの内容物が入ったネックを有するガラス瓶の容器Ｂ１の口部内側面に嵌着させた時に、振出し口２と反対位置の天板部１から整流板６と直角になるように下方へ延出した嵌着片６ａの容器Ｂ１の内側面と接する面の嵌着片６ｂの嵌合面６ａと、容器Ｂ１の内側面と接する面の天板部１の嵌合面１ａと、容器Ｂ１の内側面と接する面の第１仕切板５の嵌合面５ａと、容器Ｂ１の内側面と接する面の第２仕切板３の嵌合面３ａと、容器Ｂ１の内側面と接する面の整流板６の嵌合面６ａと、容器Ｂ１の内側面と接する面の傾斜板７の嵌合面７ａが容器Ｂ１内側面と密着し嵌着する。
【００４１】
形状寸法の精度が低いガラス瓶などについては、内面寸法にバラツキが生じてしまうので、前記嵌合面１ａ、３ａ、４ａ、５ａ、６ａ、７ａを容器Ｂ１内面周より薄肉で大きめに形成したり、わざと前記嵌合面１ａ、３ａ、４ａ、５ａ、６ａ、７ａにバリを形成させることで、寸法形状にバラツキが発生する容器Ｂ１であっても、容器Ｂ１内側面の壁にそって前記嵌合面１ａ、３ａ、４ａ、５ａ、６ａ、７ａが撓み密着させることができるので、インスタントコーヒーなどの粉状や顆粒状の内容物が、動作の過程で前記嵌合面１ａ、３ａ、４ａ、５ａ、６ａ、７ａと容器Ｂ１内側面の隙間からこぼれることがなくなるので、確実に定量できる定量中栓Ａ２を提供することができる。
【００４２】
また、前記定量中栓Ａ２を容器Ｂ１の口部内側面に嵌着させた時に、容器Ｂ１内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ２付容器Ｂ１となるので、定量するスペースとして容器Ｂ１の内壁を利用するため、１度により多くの計量値を取ることができる定量中栓Ａ２を提供することができる。更に、容器Ｂ１の内壁を利用するため軽量化がはかれ、原料代を削減することができる定量中栓Ａ２を提供することができる。
【００４３】
前記定量中栓Ａ２は、インスタントコーヒーや砂糖などの粉状・顆粒状の内容物が入ったガラスなどでできた容器Ｂ１に簡単に装着及び脱着出来るものであり、前記容器Ｂ１は開口部の口径が容器Ｂ１胴体周より小さいネック形状を有している容器Ｂ１に、特に機能を発揮するものである。
【００４４】
次に本発明の異なる実施形態３を示す定量中栓Ａ３を図２６乃至図２９に示す。インスタントコーヒーや砂糖などの粉状・顆粒状の内容物が入ったガラスなどでできた容器Ｂ２の口部内に嵌着する定量中栓Ａ３である。また、前記容器Ｂ２は開口部の口径が容器Ｂ２胴体周より小さいネックを有する容器Ｂ２に装着する定量中栓Ａ３である。更に、前記容器Ｂ２口部内に嵌着する定量中栓Ａ３はポリプロピレンやポリエチレンなどの合成樹脂材でできている。更に、前記定量中栓Ａ３にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００４５】
また、前記振出し口２の下方には前記天板部１と平行な位置であって、前記整流板６と直角に連結した底板４を設置し、前記底板４には天板部１に向かって、前記整流板６と連結した、前記底板４を角度０度とした場合に前記振出し口２の反対方向に上向きに傾斜する角度が４０度から９０度未満となる第１仕切板５と、前記第１仕切板５の上端側に前記底板４を角度０度とした場合に振出し口側からみて右側の側面視がくの字になるように、第１仕切板の上端に第２傾斜板を設け、第２傾斜板を延長した場合に底板と３０度から６０度以内の角度で交差する第２傾斜板１０と、前記第２仕切板３の下端側から前記第２仕切板３を角度０度とした場合に振出し口２の反対方向に上向きに傾斜する角度が３０度から６０度以内となる傾斜板７を設け、前記第２仕切板３が振出し口２側からみて右側の側面視がくの字になる前記傾斜板７を設けた定量中栓Ａ３である。更に、前記傾斜板７を設置することで、容器を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ３を提供することができる。
【００４６】
また、前記定量中栓Ａ３をインスタントコーヒーなどの内容物が入ったネックを有するガラス瓶の容器の口部内側面に嵌着させた時に、振出し口２と反対位置の天板部１から整流板６と直角になるように下方へ延出した嵌着片６ａの容器Ｂ２の内側面と接する面の嵌着片６ｂの嵌合面６ａと、容器の内側面と接する面の天板部１の嵌合面１ａと、容器の内側面と接する面の第１仕切板５の嵌合面５ａと、容器の内側面と接する面の第２仕切板３の嵌合面３ａと、容器の内側面と接する面の底板４の嵌合面４ａと、容器の内側面と接する面の整流板６の嵌合面６ａと、容器Ｂ２の内側面と接する面の傾斜板７の嵌合面７ａと容器の内側面と接する面の第２傾斜板の嵌合面１０ａが容器Ｂ２内側面と密着し嵌着する。
【００４７】
形状寸法の精度が低いガラス瓶などについては、内面寸法にバラツキが生じてしまうので、前記嵌合面１ａ、５ａ、３ａ、４ａ、６ａ、７ａ、１０ａを容器内面周より薄肉で大きめに形成したり、わざと前記嵌合面１ａ、５ａ、３ａ、４ａ、６ａ、７ａ、１０ａにバリを形成させることで、寸法形状にバラツキが発生する容器Ｂ２であっても、容器Ｂ２内側面の壁にそって前記嵌合面１ａ、５ａ、３ａ、４ａ、６ａ、７ａ、１０ａが撓み密着させることができるので、インスタントコーヒーなどの粉状や顆粒状の内容物が、動作の過程で前記嵌合面１ａ、５ａ、３ａ、４ａ、６ａ、７ａと容器Ｂ２内側面の隙間からこぼれることがなくなるので、確実に定量できる定量中栓Ａ３を提供することができる。
【００４８】
また、前記定量中栓Ａ３を容器Ｂ２の口部内側面に嵌着させた時に、容器内側面の壁と天板部１の壁と第１仕切板５の壁と第２仕切板３の壁と整流板６の壁と傾斜板７の壁と第２傾斜板１０の壁で囲われた部屋が少なくとも２つ以上形成された定量室８が設置される定量中栓Ａ３付容器となるので、定量するスペースとして容器の内壁を利用するため、１度により多くの計量値を取ることができる定量中栓Ａ３を提供することができる。更に、容器Ｂ２の内壁を利用するため軽量化がはかれ、原料代を削減することができる定量中栓Ａ３を提供することができる。
【００４９】
前記定量中栓Ａ３は、インスタントコーヒーや砂糖などの粉状・顆粒状の内容物が入ったガラスなどでできた容器に簡単に装着及び脱着出来るものであり、前記容器Ｂ２は開口部の口径が容器Ｂ２胴体周より小さいネック形状を有している容器Ｂ２に、特に機能を発揮するものである。
【００５０】
また、整流板６と容器Ｂ２の仕切板Ｂａが接合し２つ以上の貯蔵室Ｂｂを容器Ｂ２内に設置し、定量中栓Ａ３を取り付けた定量中栓付容器であるので、２種類以上の内容物を別々の場所で保存することができるので、風味や臭い等の品質を損なわずに味わうことができる定量中栓付容器を提供することができる。
【００５１】
尚、上記実施形態、実施形態１、実施形態２においては何れも整流板６は1つでしたが、整流板６は２つ以上の複数個設置しても良い。
【図面の簡単な説明】
【００５２】
【図１】本発明の実施形態を示す定量中栓の斜視図１である。
【図２】同実施形態を示す定量中栓の斜視図２である。
【図３】同実施形態を示す定量中栓の側面図である。
【図４】同実施形態を示す定量中栓の上面図である。
【図５】同実施形態を示す定量中栓の底面図である。
【図６】同実施形態を示す定量中栓の正面図である。
【図７】同実施形態を示す定量中栓の背面図である。
【図８】本発明の異なる実施形態１を示す斜視図１である。
【図９】図８に示す実施形態１の斜視図２である。
【図１０】図８に示す実施形態１の側面図である。
【図１１】図８の定量中栓を容器へセットした状態を示す斜視図１である。
【図１２】図８の定量中栓を容器へセットした状態を示す斜視図２である。
【図１３】図１１の動作方法１を示す側面図である。
【図１４】図１１の動作方法２を示す側面図である。
【図１５】図１１の動作方法３を示す側面図である。
【図１６】図１１の動作方法４を示す側面図である。
【図１７】本発明の異なる実施形態２を示す斜視図１である。
【図１８】図１７に示す実施形態２の斜視図２である。
【図１９】図１７に示す実施形態２の側面図である。
【図２０】図１７に示す実施形態２の上面図である。
【図２１】図１７に示す実施形態２の底面図である。
【図２２】図１７に示す実施形態２の正面図である。
【図２３】図１７に示す実施形態２の背面図である。
【図２４】図１７の定量中栓を容器へセットした状態を示す斜視図１である。
【図２５】図１７の定量中栓を容器へセットした状態を示す斜視図２である。
【図２６】本発明の異なる実施形態３を示す斜視図１である。
【図２７】図２６に示す実施形態３の斜視図２である。
【図２８】図２６の動作方法１を示す側面図である。
【図２９】図２６の動作方法１を示す底面図である。
【図３０】容器内に仕切板を設置した斜視図である。
【符号の説明】
【００５３】
１        天板部
１ａ      嵌合面
２        振出し口
３        第２仕切板
３ａ      嵌合面
４        底板
４ａ      嵌合面
５        第１仕切板
５ａ      嵌合面
６        整流板
６ａ      嵌合面
６ｂ      嵌着片
７        傾斜板
７ａ      嵌合面
８        定量室
９        保管室
１０      第２傾斜板
１０ａ    嵌合面
Ａ        定量中栓
Ａ１      定量中栓
Ａ２      定量中栓
Ａ３      定量中栓
Ｂ        容器
Ｂ１      容器
Ｂ２      容器
Ｂａ      仕切板
Ｂｂ      貯蔵室
Ｃ        内容物
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には前記振出し口から遠ざかる方向で上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置されることを特徴する定量中栓。
【請求項２】
第１仕切板の上端が天板部の中心位置より振出し口側に形成されたことを特徴とする請求項１に記載の定量中栓。
【請求項３】
前記第２仕切板を角度０度とした場合に振出し口の反対方向に傾斜する角度が３０度から６０度以内となる傾斜板を振出し口側からみて右側の側面視がくの字になるように、第２仕切板の下端に設けたことを特徴とする請求項１または請求項２に記載の定量中栓。
【請求項４】
第２仕切板と連結し前記天板部から垂直に下方へ延出した整流板を複数設置したことを特徴とする請求項１乃至請求項３のいずれか１項に記載の定量中栓。
【請求項５】
整流板の嵌合面と天板部の嵌合面と底板部の嵌合面と第１仕切板の嵌合面と第２仕切板の嵌合面が容器口部付近の内側面と密着し嵌着することを特徴とする請求項１乃至請求項４のいずれか１項に記載の定量中栓。
【請求項６】
振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着することを特徴とする請求項１乃至請求項５のいずれか１項に記載の定量中栓。
【請求項７】
定量中栓の整流板と容器の仕切板が接合し２つ以上の貯蔵室を容器内に設置し、請求項１乃至請求項６のいずれか１項に記載の定量中栓を容器の口部内に取り付けたことを特徴とする定量中栓付容器。
【手続補正２】
【補正対象書類名】明細書
【補正対象項目名】全文
【補正方法】変更
【補正の内容】
【発明の詳細な説明】
【技術分野】
【０００１】
本発明は、コーヒーや砂糖などの粉状・顆粒状の内容物が入った容器に装着し一定量づつ振出せる定量中栓及び定量中栓付容器に関するものである。
【背景技術】
【０００２】
粉状のガーリックや胡しょう等の調味料や洗顔用粉石鹸等の粉状物を収納して定量で取り出すことが出来る定量吐出容器として、下部内周面から上部一側方に向かって傾斜する第一傾斜隔壁と、第一傾斜隔壁と反対位置で直交するように第二隔壁を設け、第二隔壁の上端部分に吐出口を設けた粉状物定量吐出容器が特許文献１に記載されている。
【０００３】
塩、こしょう等の粉末の振出容器に装着される可変式の計量栓として、筒部内を第１ガイド板後方側に形成された下面開口の流入室と、第２ガイド板前方側に形成された貯留室と、流入室と貯留室とそれぞれ連通する計量室を有し、計量室の容量を増大、減少させることが可能な粉末計量栓が特許文献２に記載されている。
【０００４】
内容物を一定量ずつ振出しできるようにした蓋装置として、流入口、中間溜まり部、計量室及び振出し口を備えた計量体が特許文献３に記載されている。
【０００５】
【特許文献１】実開昭６２−１４６７５４号公報
【特許文献２】実開昭６３−４６３５７号公報
【特許文献３】特開平９−２７８０５５号公報
【発明の開示】
【発明が解決しようとする課題】
【０００６】
特許文献１、２及び特許文献３のいずれも粉状物や顆粒物を一定量ずつ取り出すことができる定量栓であるが、内容物である粉状物が細かくなると容器を傾けて逆さまにし再び元の位置に戻していく過程で、一度流れ出した粉状物が止まらずに流れ出てしてしまう時があり、その状態で無理やり容器を元の位置に戻してしまうと、振出し口から粉状物が外へ飛び散ってしまい、机や床にまでこぼれてしまう場合が発生していた。また、流れ出しが激しいため内容物の振出す分量には毎回誤差が発生してしまう状態であった。
【０００７】
更に、特許文献２及び特許文献３では、前記定量栓は容器の開口部内に装着するものであるが、開口部の内壁面と前記定量栓の側壁面とで嵌着するように形成しているため、注ぎ出す過程を繰り返す中で、前記内壁面と前記側壁面の間の隙間へ内容物が入り込み不衛生であった。また、定量栓には前記側壁面が形成されるため、内容物を計量する場所の体積は定量栓の側壁内面からになるので、１回分で注ぎだせる内容物の容量が少なくなってしまう傾向であった。更に、特許文献１では、容器内に装着するものではなく容器開口部の上に装着するものであり、定量栓にあわせた容器や定量栓に被せる蓋を製作する必要がありコストアップとなっていた。
【０００８】
本発明の目的は、上記課題を解決し、粉状物が外へ飛び散ることを軽減することが出来る定量中栓及び定量中栓付容器を提供することである。
【課題を解決するための手段】
【０００９】
容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には前記振出し口から遠ざかる方向で上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置された定量中栓。
【００１０】
第１仕切板の上端が天板部の中心位置より振出し口側に形成された定量中栓。
【００１１】
前記第２仕切板を角度０度とした場合に振出し口の反対方向に傾斜する角度が３０度から６０度以内となる傾斜板を振出し口側からみて右側の側面視がくの字になるように、第２仕切板の下端に設けた定量中栓。
【００１２】
第２仕切板と連結し前記天板部から垂直に下方へ延出した整流板を複数設置した定量中栓。
【００１３】
整流板の嵌合面と天板部の嵌合面と底板部の嵌合面と第１仕切板の嵌合面と第２仕切板の嵌合面が容器口部付近の内側面と密着し嵌着する定量中栓。
【００１４】
振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着する定量中栓。
【００１５】
定量中栓の整流板と容器の仕切板が接合し２つ以上の貯蔵室を容器内に設置し、定量中栓を容器の口部内に取り付けた定量中栓付容器。
【発明の効果】
【００１６】
本発明は、容器の口部内に嵌着する合成樹脂材でできた定量中栓であって、前記定量中栓には内容物を外へ流出するための振出し口を有する天板部と、前記振出し口付近から下方へ延出した第２仕切板と、前記第２仕切板と直角に連結し前記天板部から垂直に下方へ延出した整流板を備え、前記振出し口の下方には整流板と直角に連結した底板を設置するとともに、前記底板には前記振出し口から遠ざかる方向で上向きに傾斜する整流板と連結した第１仕切板を備え、前記定量中栓を容器の口部内側面に嵌着させた時に、容器内側面と天板部と第１仕切板と第２仕切板と整流板の間に少なくとも、２つ以上の定量室が設置された定量中栓あるので、容器を傾けて逆さまにし再び元の位置に戻していく過程で、整流板が流れ出す粉状物の流出を制御するとともに、整流板により元の位置に戻す時に発生してしまう振出し口からの粉状物の飛び散りを軽減させることができる定量中栓を提供することができる。
【００１７】
また、第１仕切板の上端が天板部の中心位置より振出し口側な形成された定量中栓であるので、定量室の空間に確実に内容物を移動させるためには、第２仕切板と第１仕切板の奥行きの幅を狭く設定することで、前記定量室の奥まで内容物を確実に入れることができるので、繰り返し行われる計量で、計量値の誤差が少ない定量中栓を提供することができる。
【００１８】
更に、前記第２仕切板を角度０度とした場合に振出し口の反対方向に傾斜する角度が３０度から６０度以内となる傾斜板を振出し口側からみて右側の側面視がくの字になるように、第２仕切板の下端に設けた定量中栓であるので、容器を傾けて逆さまにし再び元の位置に戻していく過程で、流れ出す粉状物の流出を制御するとともに、元の位置に戻す時に発生してしまう振出し口からの粉状物の飛び散りを軽減させることができる定量中栓を提供することができる。
【００１９】
更に、第２仕切板と連結し前記天板部から垂直に下方へ延出した整流板を複数設置した定量中栓であるので、整流板を1つ設置した場合に比べてより流れ出す粉状物の流出を制御するとともに、元の位置に戻す時に発生してしまう振出し口からの粉状物の飛び散りを整流板を1つ設置した場合に比べてより軽減させることができる定量中栓を提供することができる。
【００２０】
また、整流板の嵌合面と天板部の嵌合面と底板部の嵌合面と第１仕切板の嵌合面と第２仕切板の嵌合面が容器口部付近の内側面と密着し嵌着する定量中栓であるので、容器の内壁を利用することができるため、１度に計量できる計量値をたくさん取れる定量中栓を提供することができる。
【００２１】
更に、振出し口と反対位置の天板部から整流板と直角になるように下方へ延出した嵌着片の嵌合面と天板部の嵌合面と底板部の嵌合面と第１仕切板の嵌合面と第２仕切板の嵌合面が容器口部付近の内側面と密着し嵌着する定量中栓であるので、嵌着片により定量中栓と容器の接合部増加し定量中栓をより確実に容器に嵌着させることができると共に、容器の内壁を利用することで定量室の体積が広く取れるので、１度に計量できる計量値をたくさん取れる定量中栓を提供することができる。
【００２２】
また、定量中栓の整流板と容器の仕切板が接合し２つ以上の貯蔵室を容器内に設置し、定量中栓を容器の口部内に取り付けた定量中栓付容器であるので、２種類以上の内容物を別々の場所で保存することができるので、風味や臭い等の品質を損なわずに味わうことができる定量中栓付容器を提供することができる。
【発明を実施するための最良の形態】
【００２３】
図１乃至図７において、本発明は、インスタントコーヒーや砂糖などの粉状・顆粒状の内容物が入ったガラスなどでできた容器の口部内に嵌着する定量中栓Ａである。また、前記容器は開口部の口径が容器胴体周より小さいネック形状を有する容器へ装着する定量中栓Ａである。また、前記容器口部内に嵌着する定量中栓Ａはポリプロピレンやポリエチレンなどの合成樹脂材でできている。更に、前記定量中栓Ａにはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００２４】
また、前記振出し口２の下方には前記天板部１と平行な位置であって、前記整流板６と直角に連結した底板４を設置し、前記底板４には天板部１に向かって、前記整流板６と連結した前記底板４を角度０度とした場合に前記振出し口２から遠ざかる方向で上向きに傾斜する角度が４０度から９０度未満となる第１仕切板５を備えている。更に、前記整流板６を設置することで、容器を傾けて逆さまにし再び元の位置に戻していく過程で、前記整流板６が流れ出す粉状・顆粒状の内容物の流出を制御するとともに、元の位置に戻す時に発生してしまう振出し口２からの粉状・顆粒状の内容物の飛び散りを軽減させることができる定量中栓Ａを提供することができる。
【００２５】
また、前記定量中栓Ａをインスタントコーヒーなどの内容物が入ったネックを有するガラス瓶の容器の口部内側面に嵌着させた時に、容器の内側面と接する面の天板部１の嵌合面１ａと容器の内側面と接する面の第１仕切板５の嵌合面５ａと容器の内側面と接する面の第２仕切板３の嵌合面３ａと容器の内側面と接する面の底板４の嵌合面４ａと容器の内側面と接する面の整流板６の嵌合面６ａが容器内側面と密着し嵌着する。形状寸法の精度が低いガラス瓶などについては、内面寸法にバラツキが生じてしまうので、前記嵌合面１ａ、３ａ、４ａ、５ａ、６ａを容器内面周より薄肉で大きめに形成したり、わざと前記嵌合面１ａ、３ａ、４ａ、５ａ、６ａにバリを形成させることで、寸法形状にバラツキが発生する容器であっても、容器内側面の壁にそって前記嵌合面１ａ、３ａ、４ａ、５ａ、６ａが撓み密着させることができるので、インスタントコーヒーなどの粉状や顆粒状の内容物が、動作の過程で前記嵌合面１ａ、３ａ、４ａ、５ａ、６ａと容器内側面の隙間からこぼれることがなくなるので、確実に定量できる定量中栓Ａを提供することができる。
【００２６】
更に、前記定量中栓Ａを容器の口部内側面に嵌着させた時に、容器内側面の壁と天板部１の壁と第１仕切板５の壁と第２仕切板３の壁と整流板６の壁で囲われた部屋が少なくとも２つ以上形成された定量室８が設置される定量中栓Ａ付容器となるので、定量するスペースとして容器の内壁を利用するため、１度により多くの計量値を取ることができる定量中栓Ａを提供することができる。また、容器の内壁を利用するため軽量化がはかれ、原料代を削減することができる定量中栓Ａを提供することができる。
【００２７】
前記定量中栓Ａは、インスタントコーヒーや砂糖などの粉状・顆粒状の内容物が入ったガラスなどでできた容器に簡単に装着及び脱着出来るものであり、前記容器は開口部の口径が容器胴体周より小さいネック形状を有している容器に、特に機能を発揮するものである。
【００２８】
更に、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａを提供することができる。
【００２９】
次に本発明の異なる実施形態１である定量中栓Ａ１を図８乃至図１２に示す。インスタントコーヒーや砂糖などの粉状・顆粒状の内容物が入ったガラスなどでできた容器Ｂの口部内に嵌着する定量中栓Ａ１である。また、前記容器Ｂは開口部の口径が容器Ｂ胴体周より小さいネックを有する容器Ｂに装着する定量中栓Ａ１である。更に、前記容器Ｂ口部内に嵌着する定量中栓Ａ１はポリプロピレンやポリエチレンなどの合成樹脂材でできている。また、前記定量中栓Ａ１にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００３０】
また、前記振出し口２の下方には前記天板部１と平行な位置であって、前記整流板６と直角に連結した底板４を設置し、前記底板４には天板部１に向かって前記整流板６と連結した、前記底板４を角度０度とした場合に前記振出し口２から遠ざかる方向で上向きに傾斜する角度が４０度から９０度未満となる第１仕切板５と、前記第２仕切板３の下端側から前記第２仕切板３を角度０度とした場合に振出し口２の反対方向に傾斜する角度が３０度から６０度以内となる傾斜板７を設け、前記第２仕切板３が振出し口２側からみて右側の側面視がくの字になるように前記傾斜板７を設けた定量中栓Ａ１である。更に、前記傾斜板７を設けることで、容器Ｂを傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ１を提供することができる。      
【００３１】
また、前記定量中栓Ａ１をインスタントコーヒーなどの内容物が入ったネックを有するガラス瓶の容器Ｂの口部内側面に嵌着させた時に、容器Ｂの内側面と接する面の天板部１の嵌合面１ａと容器Ｂの内側面と接する面の第１仕切板５の嵌合面５ａと容器Ｂの内側面と接する面の第２仕切板３の嵌合面３ａと容器の内側面と接する面の底板４の嵌合面４ａと容器Ｂの内側面と接する面の整流板６の嵌合面６ａと容器Ｂの内側面と接する面の傾斜板７の嵌合面７ａが容器Ｂ内側面と密着し嵌着する。
【００３２】
形状寸法の精度が低いガラス瓶などについては、内面寸法にバラツキが生じてしまうので、前記嵌合面１ａ、３ａ、４ａ、５ａ、６ａ、７ａを容器Ｂ内面周より薄肉で大きめに形成したり、わざと前記嵌合面１ａ、３ａ、４ａ、５ａ、６ａ、７ａにバリを形成させることで、寸法形状にバラツキが発生する容器Ｂであっても、容器Ｂ内側面の壁にそって前記嵌合面１ａ、３ａ、４ａ、５ａ、６ａ、７ａが撓み密着させることができるので、インスタントコーヒーなどの粉状物や顆粒物の内容物が、動作の過程で前記嵌合面１ａ、３ａ、４ａ、５ａ、６ａ、７ａと容器Ｂ内側面の隙間からこぼれることがなくなるので、確実に定量できる定量中栓Ａ１を提供することができる。
【００３３】
また、前記定量中栓Ａ１を容器Ｂの口部内側面に嵌着させた時に、容器Ｂ内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ１付容器Ｂとなるので、定量するスペースとして容器Ｂの内壁を利用するため、１度により多くの計量値を取ることができる定量中栓Ａ１を提供することができる。更に、容器Ｂの内壁を利用するため軽量化がはかれ、原料代を削減することができる定量中栓Ａ１を提供することができる。
【００３４】
前記定量中栓Ａ１は、インスタントコーヒーや砂糖などの粉状・顆粒状の内容物が入ったガラスなどでできた容器Ｂに簡単に装着及び脱着出来るものであり、前記容器Ｂは開口部の口径が容器Ｂ胴体周より小さいネック形状を有している容器Ｂに、特に機能を発揮するものである。
【００３５】
また、前記底板４と第１仕切板５の設置位置は、前記第１仕切板５の上端が前記天板部１の中心位置より振出し口２側に形成することで、第２仕切板３と第１仕切板５の奥行きの幅を狭く設定することができるので、定量室８の空間に確実に内容物を移動させ、前記定量室８の奥まで内容物を確実に入れることができるので、繰り返し行われる計量で計量値の誤差が少ない定量中栓Ａ１を定量することができる。
【００３６】
図１３乃至図１６において、内容物Ｃを外へ流出させるための動作方法を示す。図１３に示す状態から、図１４に示すように容器Ｂを逆さまに傾けると、容器Ｂ内の内容物Ｃは定量室８に溜まる。図１５から図１６に示すように容器Ｂを、元に位置に戻していくと内容物Ｃは前記定量室８から移動し保管室９へ流れ落ち、図１３に示すように容器Ｂが起立した状態になると、前記内容物Ｃは前記保管室９で保管された状態になる。再び、図１４乃至図１６に示す動作を繰り返すことで、前記保管室９に保管されていた内容物Ｃが外へ流出し、前記定量室８には新たな内容物Ｃが溜められることになる。内容物Ｃが細かい粒子になればなるほど、容器Ｂを傾けていった際に雪崩のような現状が発生してしまうため、前記整流板６を設置することで、前記整流板６が壁となり内容物Ｃである粒子の流れ出しを制御させる効果を有するので、勢い良く流れ出すこともなくなり、内容物Ｃである粒子が振出し口２から勢いあまって飛び散る事を緩和させる効果を有する。
【００３７】
また、前記傾斜板７を設けることで、前記定量室８の広さを多く確保できた状態で定量できる上、第２仕切板３の下端に振出し口２側からみて右側の側面視がくの字となる傾斜板７を形成し、第１仕切板５と前記傾斜板７の隙間となる通路の高さを粒子の大きさによって飛び散らない高さに設定することで、前記定量室８から前記保管室９へ流れ込む内容物の粒子の流れ出しを制御させる効果を有するので、勢い良く流れ出すこともなくなり、内容物である粒子が振出し口２から勢いあまって飛び散る事を防ぐ効果を有する。
【００３８】
次に本発明の異なる実施形態２を示す定量中栓Ａ２を図１７乃至図２５に示す。インスタントコーヒーや砂糖などの粉状・顆粒状の内容物が入ったガラスなどでできた容器Ｂ１の口部内に嵌着する定量中栓Ａ２である。また、前記容器Ｂ１は開口部の口径が容器Ｂ１胴体周より小さいネックを有する容器Ｂ１に装着する定量中栓Ａ２である。更に、前記容器Ｂ１口部内に嵌着する定量中栓Ａ２はポリプロピレンやポリエチレンなどの合成樹脂材でできている。更に、前記定量中栓Ａ２にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００３９】
また、前記振出し口２の下方には前記天板部１と平行な位置であって、前記整流板６と直角に連結した底板４を設置し、前記底板４には天板部１に向かって前記整流板６と連結した、前記底板４を角度０度とした場合に前記振出し口２から遠ざかる方向で上向きに傾斜する角度が４０度から９０度未満となる第１仕切板５と、前記第２仕切板３の下端側から前記第２仕切板３を角度０度とした場合に振出し口２の反対方向に傾斜する角度が３０度から６０度以内となる傾斜板７を設け、前記第２仕切板３が振出し口２側からみて右側の側面視がくの字になるように前記傾斜板７設けた定量中栓Ａ２である。更に、前記傾斜板７を設置することで、容器Ｂ１を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ２を提供することができる。
【００４０】
また、前記定量中栓Ａ２をインスタントコーヒーなどの内容物が入ったネックを有するガラス瓶の容器Ｂ１の口部内側面に嵌着させた時に、振出し口２と反対位置の天板部１から整流板６と直角になるように下方へ延出した嵌着片６ａの容器Ｂ１の内側面と接する面の嵌着片６ｂの嵌合面６ａと、容器Ｂ１の内側面と接する面の天板部１の嵌合面１ａと、容器Ｂ１の内側面と接する面の第１仕切板５の嵌合面５ａと、容器Ｂ１の内側面と接する面の第２仕切板３の嵌合面３ａと、容器Ｂ１の内側面と接する面の整流板６の嵌合面６ａと、容器Ｂ１の内側面と接する面の傾斜板７の嵌合面７ａが容器Ｂ１内側面と密着し嵌着する。
【００４１】
形状寸法の精度が低いガラス瓶などについては、内面寸法にバラツキが生じてしまうので、前記嵌合面１ａ、３ａ、４ａ、５ａ、６ａ、７ａを容器Ｂ１内面周より薄肉で大きめに形成したり、わざと前記嵌合面１ａ、３ａ、４ａ、５ａ、６ａ、７ａにバリを形成させることで、寸法形状にバラツキが発生する容器Ｂ１であっても、容器Ｂ１内側面の壁にそって前記嵌合面１ａ、３ａ、４ａ、５ａ、６ａ、７ａが撓み密着させることができるので、インスタントコーヒーなどの粉状や顆粒状の内容物が、動作の過程で前記嵌合面１ａ、３ａ、４ａ、５ａ、６ａ、７ａと容器Ｂ１内側面の隙間からこぼれることがなくなるので、確実に定量できる定量中栓Ａ２を提供することができる。
【００４２】
また、前記定量中栓Ａ２を容器Ｂ１の口部内側面に嵌着させた時に、容器Ｂ１内側面の壁と天板部１の壁と第１仕切板５の壁と第２仕切板３の壁と整流板６の壁と傾斜板７の壁で囲われた部屋が少なくとも２つ以上形成された定量室８が設置される定量中栓Ａ２付容器Ｂ１となるので、定量するスペースとして容器Ｂ１の内壁を利用するため、１度により多くの計量値を取ることができる定量中栓Ａ２を提供することができる。更に、容器Ｂ１の内壁を利用するため軽量化がはかれ、原料代を削減することができる定量中栓Ａ２を提供することができる。
【００４３】
前記定量中栓Ａ２は、インスタントコーヒーや砂糖などの粉状・顆粒状の内容物が入ったガラスなどでできた容器Ｂ１に簡単に装着及び脱着出来るものであり、前記容器Ｂ１は開口部の口径が容器Ｂ１胴体周より小さいネック形状を有している容器Ｂ１に、特に機能を発揮するものである。
【００４４】
次に本発明の異なる実施形態３を示す定量中栓Ａ３を図２６乃至図２９に示す。インスタントコーヒーや砂糖などの粉状・顆粒状の内容物が入ったガラスなどでできた容器Ｂ２の口部内に嵌着する定量中栓Ａ３である。また、前記容器Ｂ２は開口部の口径が容器Ｂ２胴体周より小さいネックを有する容器Ｂ２に装着する定量中栓Ａ３である。更に、前記容器Ｂ２口部内に嵌着する定量中栓Ａ３はポリプロピレンやポリエチレンなどの合成樹脂材でできている。更に、前記定量中栓Ａ３にはインスタントコーヒーや砂糖などの粉状・顆粒状の内容物を外へ流出するための開口した振出し口２を有する天板部１と、前記振出し口２付近から下方へ延出し板状の壁を形成した第２仕切板３と、前記振出し口２を左右で区分するように、前記第２仕切板３と直角に連結し前記天板部１から垂直に下方へ延出した板状の壁となる整流板６を備えている。
【００４５】
また、前記振出し口２の下方には前記天板部１と平行な位置であって、前記整流板６と直角に連結した底板４を設置し、前記底板４には天板部１に向かって、前記整流板６と連結した、前記底板４を角度０度とした場合に前記振出し口２から遠ざかる方向で上向きに傾斜する角度が４０度から９０度未満となる第１仕切板５と、前記第１仕切板５の上端側に前記底板４を角度０度とした場合に振出し口側からみて右側の側面視がくの字になるように、第１仕切板の上端に第２傾斜板を設け、第２傾斜板を延長した場合に底板と３０度から６０度以内の角度で交差する第２傾斜板１０と、前記第２仕切板３の下端側から前記第２仕切板３を角度０度とした場合に振出し口２の反対方向に上向きに傾斜する角度が３０度から６０度以内となる傾斜板７を設け、前記第２仕切板３が振出し口２側からみて右側の側面視がくの字になる前記傾斜板７を設けた定量中栓Ａ３である。更に、前記傾斜板７を設置することで、容器を傾けて逆さまにし再び元の位置に戻していく過程で、流れ出す粉状物の流出を制御するとともに、元の位置に戻す時に発生してしまう振出し口２からの粉状物の飛び散りを軽減させることができる定量中栓Ａ３を提供することができる。
【００４６】
また、前記定量中栓Ａ３をインスタントコーヒーなどの内容物が入ったネックを有するガラス瓶の容器の口部内側面に嵌着させた時に、振出し口２と反対位置の天板部１から整流板６と直角になるように下方へ延出した嵌着片６ａの容器Ｂ２の内側面と接する面の嵌着片６ｂの嵌合面６ａと、容器の内側面と接する面の天板部１の嵌合面１ａと、容器の内側面と接する面の第１仕切板５の嵌合面５ａと、容器の内側面と接する面の第２仕切板３の嵌合面３ａと、容器の内側面と接する面の底板４の嵌合面４ａと、容器の内側面と接する面の整流板６の嵌合面６ａと、容器Ｂ２の内側面と接する面の傾斜板７の嵌合面７ａと容器の内側面と接する面の第２傾斜板の嵌合面１０ａが容器Ｂ２内側面と密着し嵌着する。
【００４７】
形状寸法の精度が低いガラス瓶などについては、内面寸法にバラツキが生じてしまうので、前記嵌合面１ａ、５ａ、３ａ、４ａ、６ａ、７ａ、１０ａを容器内面周より薄肉で大きめに形成したり、わざと前記嵌合面１ａ、５ａ、３ａ、４ａ、６ａ、７ａ、１０ａにバリを形成させることで、寸法形状にバラツキが発生する容器Ｂ２であっても、容器Ｂ２内側面の壁にそって前記嵌合面１ａ、５ａ、３ａ、４ａ、６ａ、７ａ、１０ａが撓み密着させることができるので、インスタントコーヒーなどの粉状や顆粒状の内容物が、動作の過程で前記嵌合面１ａ、５ａ、３ａ、４ａ、６ａ、７ａと容器Ｂ２内側面の隙間からこぼれることがなくなるので、確実に定量できる定量中栓Ａ３を提供することができる。
【００４８】
また、前記定量中栓Ａ３を容器Ｂ２の口部内側面に嵌着させた時に、容器内側面の壁と天板部１の壁と第１仕切板５の壁と第２仕切板３の壁と整流板６の壁と傾斜板７の壁と第２傾斜板１０の壁で囲われた部屋が少なくとも２つ以上形成された定量室８が設置される定量中栓Ａ３付容器となるので、定量するスペースとして容器の内壁を利用するため、１度により多くの計量値を取ることができる定量中栓Ａ３を提供することができる。更に、容器Ｂ２の内壁を利用するため軽量化がはかれ、原料代を削減することができる定量中栓Ａ３を提供することができる。
【００４９】
前記定量中栓Ａ３は、インスタントコーヒーや砂糖などの粉状・顆粒状の内容物が入ったガラスなどでできた容器に簡単に装着及び脱着出来るものであり、前記容器Ｂ２は開口部の口径が容器Ｂ２胴体周より小さいネック形状を有している容器Ｂ２に、特に機能を発揮するものである。
【００５０】
また、整流板６と容器Ｂ２の仕切板Ｂａが接合し２つ以上の貯蔵室Ｂｂを容器Ｂ２内に設置し、定量中栓Ａ３を取り付けた定量中栓付容器であるので、２種類以上の内容物を別々の場所で保存することができるので、風味や臭い等の品質を損なわずに味わうことができる定量中栓付容器を提供することができる。
【００５１】
尚、上記実施形態、実施形態１、実施形態２においては何れも整流板６は1つでしたが、整流板６は２つ以上の複数個設置しても良い。
【図面の簡単な説明】
【００５２】
【図１】本発明の実施形態を示す定量中栓の斜視図１である。
【図２】同実施形態を示す定量中栓の斜視図２である。
【図３】同実施形態を示す定量中栓の側面図である。
【図４】同実施形態を示す定量中栓の上面図である。
【図５】同実施形態を示す定量中栓の底面図である。
【図６】同実施形態を示す定量中栓の正面図である。
【図７】同実施形態を示す定量中栓の背面図である。
【図８】本発明の異なる実施形態１を示す斜視図１である。
【図９】図８に示す実施形態１の斜視図２である。
【図１０】図８に示す実施形態１の側面図である。
【図１１】図８の定量中栓を容器へセットした状態を示す斜視図１である。
【図１２】図８の定量中栓を容器へセットした状態を示す斜視図２である。
【図１３】図１１の動作方法１を示す側面図である。
【図１４】図１１の動作方法２を示す側面図である。
【図１５】図１１の動作方法３を示す側面図である。
【図１６】図１１の動作方法４を示す側面図である。
【図１７】本発明の異なる実施形態２を示す斜視図１である。
【図１８】図１７に示す実施形態２の斜視図２である。
【図１９】図１７に示す実施形態２の側面図である。
【図２０】図１７に示す実施形態２の上面図である。
【図２１】図１７に示す実施形態２の底面図である。
【図２２】図１７に示す実施形態２の正面図である。
【図２３】図１７に示す実施形態２の背面図である。
【図２４】図１７の定量中栓を容器へセットした状態を示す斜視図１である。
【図２５】図１７の定量中栓を容器へセットした状態を示す斜視図２である。
【図２６】本発明の異なる実施形態３を示す斜視図１である。
【図２７】図２６に示す実施形態３の斜視図２である。
【図２８】図２６の動作方法１を示す側面図である。
【図２９】図２６の動作方法１を示す底面図である。
【図３０】容器内に仕切板を設置した斜視図である。
【符号の説明】
【００５３】
１        天板部
１ａ      嵌合面
２        振出し口
３        第２仕切板
３ａ      嵌合面
４        底板
４ａ      嵌合面
５        第１仕切板
５ａ      嵌合面
６        整流板
６ａ      嵌合面
６ｂ      嵌着片
７        傾斜板
７ａ      嵌合面
８        定量室
９        保管室
１０      第２傾斜板
１０ａ    嵌合面
Ａ        定量中栓
Ａ１      定量中栓
Ａ２      定量中栓
Ａ３      定量中栓
Ｂ        容器
Ｂ１      容器
Ｂ２      容器
Ｂａ      仕切板
Ｂｂ      貯蔵室
Ｃ        内容物